(57)【要約】小型で、変倍比が比較的大きいズームレンズを提供する。物体側から順に、光軸ＡＸ上に固定された正の屈折力を有する第１レンズ群Ｇｒ１と、負の屈折力を有する第２レンズ群Ｇｒ２と、光軸ＡＸ上に固定された正の屈折力を有する第３レンズ群Ｇｒ３と、正の屈折力を有する第４レンズ群Ｇｒ４と、から実質的になり、各レンズ群間隔を変化させることにより変倍を行い、第１レンズ群Ｇｒ１は少なくとも５枚のレンズを有し、第１レンズ群Ｇｒ１内の正レンズは、アッベ数の平均値をνａｖｅとして、条件式νａｖｅ＞８５を満たす。
2018225842.tif 000002
【特許請求の範囲】
【請求項１】
物体側から順に、
光軸上に固定された正の屈折力を有する第１レンズ群と、
負の屈折力を有する第２レンズ群と、
前記光軸上に固定された正の屈折力を有する第３レンズ群と、
正の屈折力を有する第４レンズ群と、
から実質的になり、
各レンズ群間隔を変化させることにより変倍を行い、
前記第１レンズ群は少なくとも５枚のレンズを有し、
前記第１レンズ群内の正レンズは、以下の条件式を満たすことを特徴とするズームレンズ。
νａｖｅ＞８５    …    （１）
ここで、
νａｖｅ：前記第１レンズ群内の正レンズのアッベ数の平均値
【請求項２】
以下の条件式を満たすことを特徴とする請求項１に記載のズームレンズ。
１．０×１０３＜｜（β２ｔ／β２ｗ）／（β３ｔ／β３ｗ）｜＜１．０×１０５    …    （２）
ここで、
β２ｔ：前記第２レンズ群の望遠端における横倍率
β２ｗ：前記第２レンズ群の広角端における横倍率
β３ｔ：前記第３レンズ群の望遠端における横倍率
β３ｗ：前記第３レンズ群の広角端における横倍率
【請求項３】
以下の条件式を満たすことを特徴とする請求項１及び２のいずれか一項に記載のズームレンズ。
５０＜β２ｔ／β２ｗ＜１８０    …    （３）
ここで、
β２ｔ：前記第２レンズ群の望遠端における横倍率
β２ｗ：前記第２レンズ群の広角端における横倍率
【請求項４】
以下の条件式を満たすことを特徴とする請求項１〜３のいずれか一項に記載のズームレンズ。
０＜｜β３ｔ／β３ｗ｜＜０．０９    …    （４）
ここで、
β３ｔ：前記第３レンズ群の望遠端における横倍率
β３ｗ：前記第３レンズ群の広角端における横倍率
【請求項５】
以下の条件式を満たすことを特徴とする請求項１〜４のいずれか一項に記載のズームレンズ。
２．５＜｜β４ｔ／β４ｗ｜＜９５    …    （５）
ここで、
β４ｔ：前記第４レンズ群の望遠端における横倍率
β４ｗ：前記第４レンズ群の広角端における横倍率
【請求項６】
以下の条件式を満たすことを特徴とする請求項１〜５のいずれか一項に記載のズームレンズ。
０．２＜ｆ１／ｆｔ＜０．４        …    （６）
ここで、
ｆ１：前記第１レンズ群の合成焦点距離
ｆｔ：前記ズームレンズの望遠端における焦点距離
【請求項７】
以下の条件式を満たすことを特徴とする請求項１〜６のいずれか一項に記載のズームレンズ。
０．０３＜｜ｆ２／ｆｔ｜＜０．０８    …    （７）
ここで、
ｆ２：前記第２レンズ群の合成焦点距離
ｆｔ：前記ズームレンズの望遠端における焦点距離
【請求項８】
以下の条件式を満たすことを特徴とする請求項１〜７のいずれか一項に記載のズームレンズ。
０．２＜ｆ３／ｆｔ＜０．３５    …    （８）
ここで、
ｆ３：前記第３レンズ群の合成焦点距離
ｆｔ：前記ズームレンズの望遠端における焦点距離
【請求項９】
以下の条件式を満たすことを特徴とする請求項１〜８のいずれか一項に記載のズームレンズ。
０＜ｆ４／ｆｔ＜０．１５    …    （９）
ここで、
ｆ４：前記第４レンズ群の合成焦点距離
ｆｔ：前記ズームレンズの望遠端における焦点距離
【請求項１０】
以下の条件式を満たすことを特徴とする請求項１〜９のいずれか一項に記載のズームレンズ。
０＜Ｔ１／ｆｔ＜０．２５    …    （１０）
ここで、
Ｔ１：前記第１レンズ群の最も物体側面から最も像側面までの光軸上距離
ｆｔ：前記ズームレンズの望遠端における焦点距離
【請求項１１】
以下の条件式を満たすことを特徴とする請求項１〜１０のいずれか一項に記載のズームレンズ。
０＜Ｌ／ｆｔ＜１．１    …    （１１）
ここで、
Ｌ：前記第１レンズ群の最も物体側面から結像面までの距離
ｆｔ：前記ズームレンズの望遠端における焦点距離
【請求項１２】
前記第１レンズ群に含まれる少なくとも３枚の正レンズは物体側凸のメニスカス形状を有することを特徴とする請求項１〜１１のいずれか一項に記載のズームレンズ。
【請求項１３】
前記第２レンズ群は物体側から順に、負レンズ、負レンズ、及び正レンズのみを有し、
前記第２レンズ群の少なくとも１枚のレンズは非球面形状を有することを特徴とする請求項１〜１２のいずれか一項に記載のズームレンズ。
【請求項１４】
前記第２レンズ群は物体側から２番目の位置に負レンズを有し、
前記負レンズは物体側凹となる面形状を有することを特徴とする請求項１〜１３のいずれか一項に記載のズームレンズ。
【請求項１５】
前記第３レンズ群は正レンズと負レンズとをそれぞれ少なくとも１枚ずつ有し、
前記第３レンズ群の少なくとも１枚のレンズは非球面形状を有することを特徴とする請求項１〜１４のいずれか一項に記載のズームレンズ。
【請求項１６】
前記第３レンズ群内の最も大きなレンズ間隔は以下の条件式を満たすことを特徴とする請求項１５に記載のズームレンズ。
０＜Ｌ３Ｇ／Ｔ３＜０．５３    …    （１２）
ここで、
Ｌ３Ｇ：前記第３レンズ群内の最も大きなレンズ間隔
Ｔ３：前記第３レンズ群の最も物体側面から前記第３レンズ群の最も像側面までの光軸上距離
【請求項１７】
前記第４レンズ群は物体側から順に、正レンズ、負レンズ、正レンズのみを有し、
前記第４レンズ群の少なくとも１枚のレンズは非球面形状を有することを特徴とする請求項１〜１６のいずれか一項に記載のズームレンズ。
【請求項１８】
実質的に屈折力を有しないレンズを有することを特徴とする請求項１〜１７のいずれか一項に記載のズームレンズ。
【請求項１９】
請求項１〜１８いずれか一項に記載のズームレンズと、
前記ズームレンズによる像が投影される撮像素子と、
を備えることを特徴とする撮像装置。
【発明の詳細な説明】
【技術分野】
【０００１】
本発明は、特に、監視カメラ、デジタルスチルカメラ、ビデオカメラ、放送用カメラ等の撮像装置に用いるズームレンズ及び当該ズームレンズを備える撮像装置に関する。
【背景技術】
【０００２】
近年、ＣＣＤ（Ｃｈａｒｇｅ  Ｃｏｕｐｌｅｄ  Ｄｅｖｉｃｅ）型イメージセンサーあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサー等の撮像素子の高集積化、小型化が図られてきており、これに伴ってＣＣＤやＣＭＯＳを用いたデジタルスチルカメラやビデオカメラ等の撮像装置においては、高機能化とともに装置全体としての小型化が求められている。【０００３】
例えば、監視カメラ用のズームレンズは全系が小型で高ズーム比であること、また昼夜の撮影において良好な光学性能が得られるものであることが要望されている。【０００４】
一般に、民生用のビデオカメラでは、物体側から順に、正、負、正、正のパワー配置の４群構成であって、第１レンズ群と第３レンズ群とを固定とし、第２レンズ群を光軸方向に移動させて主に変倍を行い、この変倍に伴う像面の補正及び合焦を第４レンズ群において行うリアフォーカス型の４群方式のズームレンズが主流となっている（例えば、特許文献１〜５参照）。【０００５】
特許文献１に記載されたズームレンズでは、簡素な構成ながらも高変倍比と望遠端での良好な光学性能とを得ることが可能となっている。しかしながら、近年求められている例えば３０倍程度の高変倍化では、更に望遠端の焦点距離を長く設定する必要があり、そのような要望に対応できていない。【０００６】
特許文献２に記載されたズームレンズでは、簡素な構成ながら高変倍化と小型化とが可能となっている。しかしながら、望遠端では色収差が大きく、近年求められている高性能化の要望に対応できていない。【０００７】
特許文献３に記載されたズームレンズでは、簡素な構成ながらも良好な光学性能を確保することが可能となっている。しかしながら、変倍比が小さく、近年求められている高変倍化に対応できていない。【０００８】
特許文献４に記載されたズームレンズでは、良好な光学性能を確保することが可能となっている。しかしながら、近年求められている高変倍化に対応できておらず、また、良好な光学性能を確保するために光学系が大型化している。【０００９】
特許文献５に記載されたズームレンズでは、２０倍前後程度の高変倍化が可能となっている。しかしながら、全長が大きく、良好な光学性能が得られていない。【００１０】
特許文献６に記載されたズームレンズに関しても、特許文献３と同様、簡素な構成ながら良好な光学性能を確保することが可能となっている。しかしながら、変倍比が小さく、近年求められている高変倍化に対応できていない。
【先行技術文献】
【特許文献】
【００１１】
【特許文献１】特開２０１６−１０２９７７号公報
【特許文献２】特開２０１４−２０３０７９号公報
【特許文献３】特開２０１２−１６３７４８号公報
【特許文献４】特開２０１２−１４１６４６号公報
【特許文献５】特開２０１２−００２９０１号公報
【特許文献６】特開２００９−０３７１０５号公報
【発明の概要】
【００１２】
本発明は、上記背景技術に鑑みてなされたものであり、小型で、変倍比が比較的大きいズームレンズを提供することを目的とする。
【００１３】
また、本発明は、上記ズームレンズを組み込んだ撮像装置を提供することを目的とする。
【００１４】
上記した目的のうち少なくとも一つを実現するために、本発明の一側面を反映したズームレンズは、物体側から順に、光軸上に固定された正の屈折力を有する第１レンズ群と、負の屈折力を有する第２レンズ群と、光軸上に固定された正の屈折力を有する第３レンズ群と、正の屈折力を有する第４レンズ群と、から実質的になり、各レンズ群間隔を変化させることにより変倍を行い、第１レンズ群は少なくとも５枚のレンズを有し、第１レンズ群内の正レンズは、以下の条件式を満たす。
νａｖｅ＞８５    …    （１）
ここで、値νａｖｅは第１レンズ群内の正レンズのアッベ数の平均値である。
【００１５】
上記した目的のうち少なくとも一つを実現するために、本発明の一側面を反映した撮像装置は、上述したズームレンズと、ズームレンズによる像が投影される撮像素子とを備える。
【図面の簡単な説明】
【００１６】
【図１】本発明の一実施形態のズームレンズを備える撮像装置を説明する図である。
【図２】図２Ａは、実施例１のズームレンズの広角端における断面図であり、図２Ｂは、中間における断面図であり、図２Ｃは、望遠端における断面図である。
【図３】図３Ａ〜３Ｃは、実施例１のズームレンズの広角端における縦収差図であり、図３Ｄ〜３Ｆは、実施例１のズームレンズの中間における縦収差図であり、図３Ｇ〜３Ｉは、実施例１のズームレンズの望遠端における縦収差図である。
【図４】図４Ａは、実施例２のズームレンズの広角端における断面図であり、図４Ｂは、中間における断面図であり、図４Ｃは、望遠端における断面図である。
【図５】図５Ａ〜５Ｃは、実施例２のズームレンズの広角端における縦収差図であり、図５Ｄ〜５Ｆは、実施例２のズームレンズの中間における縦収差図であり、図５Ｇ〜５Ｉは、実施例２のズームレンズの望遠端における縦収差図である。
【図６】図６Ａは、実施例３のズームレンズの広角端における断面図であり、図６Ｂは、中間における断面図であり、図６Ｃは、望遠端における断面図である。
【図７】図７Ａ〜７Ｃは、実施例３のズームレンズの広角端における縦収差図であり、図７Ｄ〜７Ｆは、実施例３のズームレンズの中間における縦収差図であり、図７Ｇ〜７Ｉは、実施例３のズームレンズの望遠端における縦収差図である。
【図８】図８Ａは、実施例４のズームレンズの広角端における断面図であり、図８Ｂは、中間における断面図であり、図８Ｃは、望遠端における断面図である。
【図９】図９Ａ〜９Ｃは、実施例４のズームレンズの広角端における縦収差図であり、図９Ｄ〜９Ｆは、実施例４のズームレンズの中間における縦収差図であり、図９Ｇ〜９Ｉは、実施例４のズームレンズの望遠端における縦収差図である。
【図１０】図１０Ａは、実施例５のズームレンズの広角端における断面図であり、図１０Ｂは、中間における断面図であり、図１０Ｃは、望遠端における断面図である。
【図１１】図１１Ａ〜１１Ｃは、実施例５のズームレンズの広角端における縦収差図であり、図１１Ｄ〜１１Ｆは、実施例５のズームレンズの中間における縦収差図であり、図１１Ｇ〜１１Ｉは、実施例５のズームレンズの望遠端における縦収差図である。
【図１２】図１２Ａは、実施例６のズームレンズの広角端における断面図であり、図１２Ｂは、中間における断面図であり、図１２Ｃは、望遠端における断面図である。
【図１３】図１３Ａ〜１３Ｃは、実施例６のズームレンズの広角端における縦収差図であり、図１３Ｄ〜１３Ｆは、実施例６のズームレンズの中間における縦収差図であり、図１３Ｇ〜１３Ｉは、実施例６のズームレンズの望遠端における縦収差図である。
【図１４】図１４Ａは、実施例７のズームレンズの広角端における断面図であり、図１４Ｂは、中間における断面図であり、図１４Ｃは、望遠端における断面図である。
【図１５】図１５Ａ〜１５Ｃは、実施例７のズームレンズの広角端における縦収差図であり、図１５Ｄ〜１５Ｆは、実施例７のズームレンズの中間における縦収差図であり、図１５Ｇ〜１５Ｉは、実施例７のズームレンズの望遠端における縦収差図である。
【図１６】図１６Ａは、実施例８のズームレンズの広角端における断面図であり、図１６Ｂは、中間における断面図であり、図１６Ｃは、望遠端における断面図である。
【図１７】図１７Ａ〜１７Ｃは、実施例８のズームレンズの広角端における縦収差図であり、図１７Ｄ〜１７Ｆは、実施例８のズームレンズの中間における縦収差図であり、図１７Ｇ〜１７Ｉは、実施例８のズームレンズの望遠端における縦収差図である。
【発明を実施するための形態】
【００１７】
図１は、本発明の一実施形態に係る撮像装置１００を示す断面図である。撮像装置１００は、画像信号を形成するためのカメラモジュール３０と、カメラモジュール３０を動作させることにより撮像装置１００としての機能を発揮させる処理部６０とを備える。
【００１８】
カメラモジュール３０は、ズームレンズ１０を内蔵するレンズユニット４０と、ズームレンズ１０によって形成された被写体像を画像信号に変換するセンサー部５０とを備える。
【００１９】
レンズユニット４０は、ズームレンズ１０と、ズームレンズ１０を組み込んだレンズホルダー４１と、光学系駆動部４２とを備える。ズームレンズ１０は、後に詳述するが、正の第１レンズ群Ｇｒ１と、負の第２レンズ群Ｇｒ２と、正の第３レンズ群Ｇｒ３と、正の第４レンズ群Ｇｒ４とで構成されている。レンズホルダー４１は、樹脂等で形成され、レンズ等を内部に収納し保持している。レンズホルダー４１は、物体側からの光線束を入射させる開口ＯＰを有する。光学系駆動部４２は、鏡筒であるレンズホルダー４１に付随して設けられている。光学系駆動部４２は、第２レンズ群Ｇｒ２と第４レンズ群Ｇｒ４とを光軸ＡＸ方向に滑らかに移動させることを可能にする機械的な機構を有し、ズーミングやフォーカシングを可能にする。
【００２０】
センサー部５０は、ズームレンズ１０によって形成された被写体像を光電変換する撮像素子５１（例えば、ＣＭＯＳ型のイメージセンサー）と、この撮像素子５１を背後から支持するとともに配線、周辺回路等を設けた基板５２とを備える。センサー部５０は、レンズホルダー４１内に保持されている。
【００２１】
撮像素子（具体的には、固体撮像素子）５１は、撮像面Ｉとしての光電変換部５１ａを有し、その周囲には、不図示の信号処理回路が形成されている。光電変換部５１ａには、画素つまり光電変換素子が２次元的に配置されている。なお、撮像素子５１は、上述のＣＭＯＳ型のイメージセンサーに限るものでなく、ＣＣＤ等の他のものを適用したものであってもよい。
【００２２】
処理部６０は、素子駆動部６１と、入力部６２と、記憶部６３と、表示部６４と、制御部６５とを備える。素子駆動部６１は、ＹＵＶその他のデジタル画素信号を外部回路へ出力したり、制御部６５から撮像素子５１を駆動するための電圧やクロック信号の供給を受けたりすることによって、撮像素子５１を動作させている。入力部６２は、ユーザーの操作或いは外部装置からのコマンドを受け付ける部分であり、記憶部６３は、撮像装置１００の動作に必要な情報、カメラモジュール３０によって取得した画像データ等を保管する部分であり、表示部６４は、ユーザーに提示すべき情報、撮影した画像等を表示する部分である。制御部６５は、素子駆動部６１、入力部６２、記憶部６３、表示部６４、光学系駆動部４２等の動作を統括的に制御しており、例えばカメラモジュール３０によって得た画像データに対して種々の画像処理を行うことができる。
【００２３】
なお、詳細な説明を省略するが、処理部６０の具体的な機能は、本撮像装置１００が組み込まれる機器の用途に応じて適宜調整される。つまり、撮像装置１００は、監視カメラやドアホンカメラ、認証用カメラ等のセキュリティカメラ、マーケティングカメラ、自動車やその他移動体に搭載される車載カメラ、医用内視鏡やヘルスケア測定、工業内視鏡等の医療・産業光学用途等に適用可能である。これら以外にも、デジタルスチルカメラ、ビデオカメラ、放送用カメラ、携帯端末、ウェアラブル・ＰＣ等に搭載可能である。
【００２４】
以下、図１を参照して、実施形態のズームレンズ１０の詳細について説明する。なお、図１で例示したズームレンズ１０は、後述する実施例１のズームレンズ１０Ａと同一の構成となっている。図示のズームレンズ１０は、撮像素子５１の撮像面Ｉに被写体像を結像させる撮像レンズである。
【００２５】
ズームレンズ１０は、物体側から順に、光軸ＡＸ上に固定された正の屈折力を有する第１レンズ群Ｇｒ１と、負の屈折力を有する第２レンズ群Ｇｒ２と、光軸ＡＸ上に固定された正の屈折力を有する第３レンズ群Ｇｒ３と、正の屈折力を有する第４レンズ群Ｇｒ４とから実質的になる。ズームレンズ１０は、各レンズ群間隔を変化させることにより変倍を行う。ズームレンズ１０は、第２レンズ群Ｇｒ２と第３レンズ群Ｇｒ３との間に開口絞りＳＴが設けられている。本実施形態では、開口絞りＳＴは、第３レンズ群Ｇｒ３に付随するものとしている。
【００２６】
ズームレンズ１０の第１レンズ群Ｇｒ１は、少なくとも５枚のレンズを有しており、少なくとも３枚又は４枚の正レンズを有している。また、第１レンズ群Ｇｒ１に含まれる少なくとも３枚の正レンズは、物体側凸のメニスカス形状を有している。第１レンズ群Ｇｒ１には、特に広角端において画角を持った光線が入射する。画角を持った光線に対し、面の法線の角度が小さくなるような面形状とすることで、広角端の高像高で発生する像面湾曲や歪曲収差、望遠端で発生する球面収差を抑えることができる。第１レンズ群Ｇｒ１の正レンズの少なくとも３枚の正レンズを物体側凸のメニスカス形状にすることにより、広角端の高像高で発生する像面湾曲や歪曲収差、望遠端で発生する球面収差を抑え良好な光学性能を確保することができる。
【００２７】
図１の例では、第１レンズ群Ｇｒ１は、第１Ａ〜第５ＡレンズＬ１Ａ〜Ｌ５Ａを有し、第２Ａ〜第５ＡレンズＬ２Ａ〜Ｌ５Ａが正レンズとなっている。これらの正レンズのうち第３Ａ〜第５ＡレンズＬ３Ａ〜Ｌ５Ａは、物体側凸のメニスカス形状を有している。
【００２８】
第２レンズ群Ｇｒ２は、物体側から順に、負レンズ、負レンズ、正レンズのみを有している。第２レンズ群Ｇｒ２の少なくとも１枚のレンズは、非球面形状を有している。第２レンズ群Ｇｒ２が物体側から順に、負レンズ、負レンズ、正レンズにより構成されることによって、正レンズより物体側に負レンズを２枚並べる構成となり、径の大きな第１レンズ群Ｇｒ１から大きな角度で入射する光線の入射角度をいち早く緩めるとともに、像面湾曲と歪曲収差とを効果的に補正することができる。また、正レンズを２枚の負レンズよりも像側に配置することにより、広角端での倍率色収差と望遠端での軸上色収差とを効果的に補正することができる。これにより、少ないレンズ枚数で像面湾曲や歪曲収差、倍率色収差等を補正することができる。さらに、第２レンズ群Ｇｒ２の少なくとも１枚のレンズが非球面形状を有することにより、像面湾曲や歪曲収差をより良好に補正することができる。
【００２９】
第２レンズ群Ｇｒ２は、既述のように、物体側から２番目の位置に負レンズを有し、当該負レンズは物体側凹となる面形状を有している。第２レンズ群Ｇｒ２は変倍機能を有しているためパワーを強める必要がある。このとき、最も物体側に位置するレンズにより第２レンズ群Ｇｒ２全体のパワーを確保しようとすると、このレンズを通過する光線が高いため収差の発生が大きくなる。一方、物体側から２番目に位置する負レンズは光線高さが低く収差の発生が小さいため、第２レンズ群Ｇｒ２全体のパワーを確保するために、この負レンズのパワーを強くしたとしても問題がない。このため、第２レンズ群Ｇｒ２の物体側から２番目に位置する負レンズの物体側面を凹形状とすることで、収差の発生を抑えながらも負のパワーを強めることができるので、良好な光学性能を確保しながらも小型化することができる。
【００３０】
図１の例では、第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第１ＢレンズＬ１Ｂは、非球面形状を有している。物体側から２番目の位置に配置される第２ＢレンズＬ２Ｂは、物体側凹となる面形状を有している。
【００３１】
第３レンズ群Ｇｒ３は、正レンズと負レンズとをそれぞれ少なくとも１枚ずつ有している。第３レンズ群Ｇｒ３の少なくとも１枚のレンズは、非球面形状を有している。第３レンズ群Ｇｒ３は開口絞りＳＴを有していることが多く、すべての像高で太い光線が通過するためズーム領域全域において球面収差やコマ収差に対するレンズの寄与が大きい。正レンズと負レンズとをそれぞれ少なくとも１枚ずつ有することにより、発生する球面収差やコマ収差、軸上色収差等の諸収差を打ち消しあうことができ、簡素な構成にもかかわらず良好な光学性能を確保することができる。さらに、第３レンズ群Ｇｒ３内の少なくとも１枚のレンズが非球面形状を有することにより、球面収差やコマ収差をより良好に補正することができる。
【００３２】
図１の例では、第３レンズ群Ｇｒ３は、第１Ｃ〜第３ＣレンズＬ１Ｃ〜Ｌ３Ｃを有し、第１ＣレンズＬ１Ｃが正レンズであり、第２ＣレンズＬ２Ｃが正レンズであり、第３ＣレンズＬ３Ｃが負レンズとなっている。また、第１ＣレンズＬ１Ｃは、非球面形状を有している。
【００３３】
第４レンズ群Ｇｒ４は、物体側から順に、正レンズ、負レンズ、及び正レンズのみを有している。第４レンズ群Ｇｒ４の少なくとも１枚のレンズは、非球面形状を有している。第４レンズ群Ｇｒ４は、広角端での球面収差やコマ収差、望遠端での像面湾曲や歪曲収差の発生が大きい。第４レンズ群Ｇｒ４の正負正の構成は、いわゆるトリプレット構成である。このトリプレット構成により諸収差を良好に補正することができるため、良好な光学性能を確保することができる。さらに、第４レンズ群Ｇｒ４の少なくとも１枚のレンズが非球面形状を有することにより、広角端での球面収差やコマ収差、望遠端での像面湾曲や歪曲収差をより良好に補正することができる。
【００３４】
図１の例では、第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第１ＤレンズＬ１Ｄは、非球面形状を有している。
【００３５】
第１〜第５レンズ群Ｇｒ１〜Ｇｒ５を構成するレンズは、ガラス材料又は樹脂材料で形成されている。
【００３６】
ズームレンズ１０において、広角から望遠への変倍時に、光学系駆動部４２を利用して、第２レンズ群Ｇｒ２は第１及び第２レンズ群Ｇｒ１，Ｇｒ２の間隔が増加するように移動し、または第２及び第３レンズ群Ｇｒ２，Ｇｒ３の間隔が減少するように移動する。また、広角から望遠への変倍時に、光学系駆動部４２を利用して、第４レンズ群Ｇｒ４は広角端から望遠端まで物体側に凸の軌跡を描くように移動する。なお、開口絞りＳＴは、変倍時において像面又は撮像面Ｉに対して固定される。
【００３７】
なお、レンズユニット４０とセンサー部５０との間には、平行平板である固定フィルターＦを配置することができる。固定フィルターＦは、光学的ローパスフィルター、ＩＲカットフィルター、固体撮像素子のシールガラス等を想定した平行平板である。固定フィルターＦは、別体のフィルター部材として配置することもできるが、別体として配置せず、ズームレンズ１０を構成するいずれかのレンズ面にその機能を付与することができる。例えば、赤外カットコートを１枚又は複数枚のレンズの表面上に施してもよい。
【００３８】
ズームレンズ１０のうち第１レンズ群Ｇｒ１内の正レンズは、以下の条件式（１）を満たす。
νａｖｅ＞８５    …    （１）
ここで、値νａｖｅは第１レンズ群Ｇｒ１内の正レンズのアッベ数の平均値である。
【００３９】
条件式（１）は第１レンズ群Ｇｒ１内のアッベ数の平均値に関するものである。第１レンズ群Ｇｒ１は、望遠端において太い光束が通過するため、色収差への寄与が大きい。条件式（１）の値が下限を上回ることで、望遠端での色収差を良好に補正することができ、望遠端での光学性能を確保することができる。
【００４０】
また、ズームレンズ１０は、以下の条件式（２）を満たす。
１．０×１０３＜｜（β２ｔ／β２ｗ）／（β３ｔ／β３ｗ）｜＜１．０×１０5    …    （２）
ここで、値β２ｔは第２レンズ群Ｇｒ２の望遠端における横倍率であり、値β２ｗは第２レンズ群Ｇｒ２の広角端における横倍率であり、値β３ｔは第３レンズ群Ｇｒ３の望遠端における横倍率であり、値β３ｗは第３レンズ群Ｇｒ３の広角端における横倍率である。
【００４１】
条件式（２）は第２レンズ群Ｇｒ２の望遠端と広角端の横倍率の比と、第３レンズ群Ｇｒ３の望遠端と広角端の横倍率の比とを規定したものである。条件式（２）の値が上限を下回ることで、第３レンズ群Ｇｒ３の横倍率の比に比べて第２レンズ群Ｇｒ２の望遠端から広角端までの横倍率の比が大きくなりすぎないため、第２レンズ群Ｇｒ２のパワーが強くなることによる、広角端の高像高での像面湾曲や歪曲収差等の発生を抑えることができる。また、第２レンズ群Ｇｒ２のパワーが強くなりすぎず、第２レンズ群Ｇｒ２をレンズホルダー４１又は鏡胴に組み込んだ際の偏芯誤差に対する収差変動を抑えることができるため、生産性を向上させることができる。または、第３レンズ群Ｇｒ３のパワーが弱くなりすぎることによる、光学系の大型化を防ぐことが出来る。一方、条件式（２）の値が下限を上回ることで、第３レンズ群Ｇｒ３の横倍率の比に比べて第２レンズ群Ｇｒ２の望遠端から広角端までの横倍率の比が小さくなりすぎないため、変倍を確保するための第２レンズ群Ｇｒ２の移動量が大きくなることによる光学系の大型化を防ぐことができる。または、第２レンズ群Ｇｒ２の横倍率の比に比べて第３レンズ群Ｇｒ３の望遠端から広角端までの横倍率の比が大きくなりすぎないため、第３レンズ群Ｇｒ３の変倍作用が大きくなりすぎない。このため、第３レンズ群Ｇｒ３のパワーが強くなることによる、球面収差やコマ収差の発生を抑えることができる。
【００４２】
また、ズームレンズ１０は、以下の条件式（３）を満たす。
５０＜β２ｔ／β２ｗ＜１８０    …    （３）
【００４３】
条件式（３）は第２レンズ群Ｇｒ２の望遠端と広角端の横倍率の比を規定したものである。条件式（３）の値が上限を下回ることで、第２レンズ群Ｇｒ２の望遠端と広角端の横倍率の比が大きくなりすぎないため、第２レンズ群Ｇｒ２の変倍作用が大きくなりすぎない。このため、第２レンズ群Ｇｒ２のパワーが強くなることによる、特に広角端の高像高で発生する、像面湾曲や歪曲収差等の発生を抑えることができる。また、第２レンズ群Ｇｒ２の変倍作用が大きくなりすぎないため、第２レンズ群Ｇｒ２のパワーが強くなりすぎず、第２レンズ群Ｇｒ２をレンズホルダー４１又は鏡胴に組み込んだ際の偏芯誤差に対する収差変動を抑えることができ、生産性を向上させることができる。一方、条件式（３）の値が下限を上回ることで、第２レンズ群Ｇｒ２の変倍作用が小さくなりすぎないため、変倍を確保するための移動量が大きくなりすぎず、光学系が大型化するのを防ぐことができる。
【００４４】
また、ズームレンズ１０は、以下の条件式（４）を満たす。
０＜｜β３ｔ／β３ｗ｜＜０．０９    …    （４）
【００４５】
条件式（４）は第３レンズ群Ｇｒ３の望遠端と広角端の横倍率の比を規定したものである。条件式（４）の値が上限を下回ることで、第３レンズ群Ｇｒ３の望遠端と広角端の横倍率の比が大きくなりすぎないため、第３レンズ群Ｇｒ３の変倍作用が大きくなりすぎない。このため、第３レンズ群Ｇｒ３のパワーが強くなることによる、球面収差やコマ収差等の発生を抑えることができる。また、第３レンズ群Ｇｒ３の変倍作用が大きくなりすぎないため、第３レンズ群Ｇｒ３のパワーが強くなりすぎず、第３レンズ群Ｇｒ３をレンズホルダー４１又は鏡胴に組み込んだ際の偏芯誤差に対する収差変動を抑えることができ、生産性を向上させることができる。一方、条件式（４）の値が下限を上回ることで、第３レンズ群Ｇｒ３の変倍作用が小さくなりすぎないため、第３レンズ群Ｇｒ３のパワーが弱くなりすぎず、光学系が大型化するのを防ぐことができる。
【００４６】
また、ズームレンズ１０は、以下の条件式（５）を満たす。
２．５＜｜β４ｔ／β４ｗ｜＜９５    …    （５）
ここで、値β４ｔは第４レンズ群Ｇｒ４の望遠端における横倍率であり、値β４ｗは第４レンズ群Ｇｒ４の広角端における横倍率である。
【００４７】
条件式（５）は第４レンズ群Ｇｒ４の望遠端と広角端の横倍率の比を規定したものである。条件式（５）の値が上限を下回ることで、第４レンズ群Ｇｒ４の望遠端と広角端の横倍率の比が大きくなりすぎないため、第４レンズ群Ｇｒ４の変倍作用が大きくなりすぎない。このため、広角端での球面収差やコマ収差、望遠端での像面湾曲や歪曲収差を良好に補正することができ、良好な光学性能を確保することができる。また、第４レンズ群Ｇｒ４の変倍作用が大きくなりすぎないため、第４レンズ群Ｇｒ４のパワーが強くなりすぎず、第４レンズ群Ｇｒ４をレンズホルダー４１又は鏡胴に組み込んだ際の偏芯誤差に対する収差変動を抑えることができ、生産性を向上させることができる。一方、条件式（５）の値が下限を上回ることで、第４レンズ群Ｇｒ４の望遠端と広角端の横倍率の比が小さくなりすぎないため、変倍を確保するための第４レンズ群Ｇｒ４の移動量が大きくなりすぎることによる、光学系の大型化を防ぐことができる。
【００４８】
また、ズームレンズ１０は、以下の条件式（６）を満たす。
０．２＜ｆ１／ｆｔ＜０．４        …    （６）
ここで、値ｆ１は第１レンズ群Ｇｒ１の合成焦点距離（ｍｍ）であり、値ｆｔはズームレンズ１０の望遠端における焦点距離（ｍｍ）である。
【００４９】
第１レンズ群Ｇｒ１は像面位置から離れて配置されるため、レンズ径が大きくなりやすい。第１レンズ群Ｇｒ１のレンズ径を小さくするためには、第１レンズ群Ｇｒ１の屈折力を弱めることが効果的であるが、第１レンズ群Ｇｒ１の屈折力を弱めると光学系の全長が長くなりやすい。逆に、光学系の全長を短くするためには、第１レンズ群Ｇｒ１の屈折力を強めることが効果的であるが、第１レンズ群Ｇｒ１のレンズ径が大きくなるという問題がある。従って、第１レンズ群Ｇｒ１のレンズ径の小型化と光学系の全長の短縮化とを図るために、第１レンズ群Ｇｒ１の屈折力を適切に設定することが必要である。
【００５０】
条件式（６）は第１レンズ群Ｇｒ１の合成焦点距離と望遠端での全系の焦点距離との比を規定するものである。条件式（６）の値が上限を下回ることで、第１レンズ群Ｇｒ１の焦点距離が大きくなりすぎないため、第１レンズ群Ｇｒ１のパワーが弱くなりすぎることによる光学系の大型化を防ぐことができる。一方、条件式（６）の値が下限を上回ることで、第１レンズ群Ｇｒ１の焦点距離が小さくなりすぎないため、第１レンズ群Ｇｒ１のパワーが強くなりすぎることを防ぐことができ、特に広角端での歪曲収差、望遠端での球面収差やコマ収差を改善することができる。また、第１レンズ群Ｇｒ１のパワーが強くなりすぎないため、第１レンズ群Ｇｒ１をレンズホルダー４１又は胴内へ組み込んだ際の偏芯誤差に対する収差変動を小さくすることができる。
【００５１】
また、ズームレンズ１０は、以下の条件式（７）を満たす。
０．０３＜｜ｆ２／ｆｔ｜＜０．０８    …    （７）
ここで、値ｆ２は第２レンズ群Ｇｒ２の合成焦点距離（ｍｍ）である。
【００５２】
条件式（７）は第２レンズ群Ｇｒ２の合成焦点距離と望遠端での全系の焦点距離との比を規定するものである。条件式（７）の値が上限を下回ることで、第２レンズ群Ｇｒ２の焦点距離が大きくなりすぎないため、光学系の大型化を防ぐことができる。一方、条件式（７）の値が下限を上回ることで、第２レンズ群Ｇｒ２の焦点距離が小さくなりすぎないため、第２レンズ群Ｇｒ２のパワーが強くなりすぎることを防ぐことができ、特に、広角端での非点収差や像面湾曲、歪曲収差等を補正することができる。また、第２レンズ群Ｇｒ２のパワーが強くなりすぎないため、第２レンズ群Ｇｒ２を鏡胴へ組み込んだ際の偏芯誤差に対する収差変動を小さくすることができ、生産性を確保することができる。
【００５３】
また、ズームレンズ１０は、以下の条件式（８）を満たす。
０．２＜ｆ３／ｆｔ＜０．３５    …    （８）
ここで、値ｆ３は第３レンズ群Ｇｒ３の合成焦点距離（ｍｍ）であり、値ｆｔはズームレンズ１０の望遠端における焦点距離（ｍｍ）である。
【００５４】
条件式（８）は第３レンズ群Ｇｒ３の合成焦点距離と望遠端での全系の焦点距離との比を規定するものである。条件式（８）の値が上限を下回ることで、第３レンズ群Ｇｒ３の焦点距離が大きくなりすぎないため、光学系の大型化を防ぐことができる。条件式（８）の値が下限を上回ることで、第３レンズ群Ｇｒ３の焦点距離が小さくなりすぎないため、第３レンズ群Ｇｒ３のパワーが強くなりすぎることを防ぐことができ、球面収差やコマ収差、軸上色収差等を補正することができる。また、第３レンズ群Ｇｒ３のパワーが強くなりすぎないため、第３レンズ群Ｇｒ３をレンズホルダー４１又は鏡胴へ組み込んだ際の偏芯誤差に対する収差変動を小さくすることができ、生産性を確保することができる。
【００５５】
また、ズームレンズ１０は、以下の条件式（９）を満たす。
０＜ｆ４／ｆｔ＜０．１５    …    （９）
ここで、値ｆ４は第４レンズ群Ｇｒ４の合成焦点距離（ｍｍ）である。
【００５６】
条件式（９）は第４レンズ群Ｇｒ４の合成焦点距離と望遠端での全系の焦点距離との比を規定するものである。条件式（９）の値が上限を下回ることで、第４レンズ群Ｇｒ４の焦点距離が大きくなりすぎないため、第４レンズ群Ｇｒ４のパワーが弱くなりすぎず、ズームレンズ１０の大型化を防ぐことができる。一方、条件式（９）の値が下限を上回ることで、第４レンズ群Ｇｒ４の焦点距離が小さくなりすぎず適切なものとなり、第４レンズ群Ｇｒ４のパワーが強くなりすぎることを防ぐことができ、特に広角端での球面収差やコマ収差を改善することができる。また、焦点距離が小さくなりすぎず適切なものとなるため、第４レンズ群Ｇｒ４をレンズホルダー４１又は鏡胴内へ組み込んだ際の偏芯誤差に対する収差変動を小さくすることができる。
【００５７】
また、ズームレンズ１０は、以下の条件式（１０）を満たす。
０＜Ｔ１／ｆｔ＜０．２５    …    （１０）
ここで、値Ｔ１は第１レンズ群Ｇｒ１の最も物体側面から最も像側面までの光軸上距離（ｍｍ）である。
【００５８】
条件式（１０）は第１レンズ群Ｇｒ１の最も物体側面から最も像側面までの光軸上距離と望遠端での焦点距離との比を規定するものである。高変倍のズームレンズ１０では、望遠端において第１レンズ群Ｇｒ１を太い光束が通過する。このため、望遠端では第１レンズ群Ｇｒ１のレンズの影響を受けやすく、収差補正のためレンズ枚数が多くなりやすい。また、望遠端で太い光束が通過するだけでなく、広角端においては画角が大きく光線高さの高い光線が通過するため、レンズの縁厚を確保した際のレンズ中心厚への影響が大きく、第１レンズ群Ｇｒ１としての光軸上距離が大きくなりやすい。条件式（１０）の値が上限を下回ることで、望遠端での焦点距離が長いにもかかわらず第１レンズ群Ｇｒ１の光軸上距離が大きくなりすぎず、光学系の大型化を防ぐことができる。一方、条件式（１０）の値が下限を上回ることで、第１レンズ群Ｇｒ１の厚みが小さくなりすぎず適切なものとなる。このため、第１レンズ群Ｇｒ１のパワーが強くなりすぎず、広角端での像面湾曲や歪曲収差、望遠端での球面収差や軸上色収差を補正することができるため、第１レンズ群Ｇｒ１の厚みを小さくしながらも良好な光学性能を確保することができる。また、第１レンズ群Ｇｒ１のパワーが強くなりすぎることがないので、第１レンズ群Ｇｒ１をレンズホルダー４１又は鏡胴へ組み込んだ際の偏芯誤差に対する収差変動を小さくすることができるため、量産性を確保することができる。
【００５９】
また、ズームレンズ１０は、以下の条件式（１１）を満たす。
０＜Ｌ／ｆｔ＜１．１    …    （１１）
ここで、値Ｌは第１レンズ群Ｇｒ１の最も物体側面から結像面までの距離（ｍｍ）である。
【００６０】
条件式（１１）は第１レンズ群Ｇｒ１の最も物体側面から結像面までの距離と望遠端での焦点距離との比を規定するものである。条件式（１１）を満たすことにより、望遠端での焦点距離が長いにもかかわらず、ズームレンズ１０を小型化することができる。
【００６１】
また、第３レンズ群Ｇｒ３内の最も大きなレンズ間隔は以下の条件式（１２）を満たす。
０＜Ｌ３Ｇ／Ｔ３＜０．５３    …    （１２）
ここで、値Ｌ３Ｇは第３レンズ群Ｇｒ３内の最も大きなレンズ間隔（ｍｍ）であり、値Ｔ３は第３レンズ群Ｇｒ３の最も物体側面（最も物体側に絞り（本実施形態では、開口絞りＳＴ）を有する場合は絞り面）から第３レンズ群Ｇｒ３の最も像側面までの光軸上距離（ｍｍ）である。
【００６２】
条件式（１２）は第３レンズ群Ｇｒ３内の最も大きなレンズ間隔と第３レンズ群Ｇｒ３の総厚とに関するものである。条件式（１２）の値が上限を下回ることで、第３レンズ群Ｇｒ３内のレンズ間隔が大きくなりすぎないため、第３レンズ群Ｇｒ３の厚みが大きくなることによるズームレンズ１０の大型化を防ぐことができる。また、第３レンズ群Ｇｒ３が大きくなりすぎることなく、各レンズのパワーを緩めることができるため、各レンズをレンズホルダー４１又は鏡胴内に組み込んだ際の偏芯誤差に対する収差変動を小さくすることができ、生産性を確保することができる。一方、条件式（１２）の値が下限を上回ることで、各レンズのパワーが強くなりすぎないため、第３レンズ群Ｇｒ３で発生する球面収差やコマ収差を良好に補正することができ、良好な光学性能を確保することができる。また、各レンズのパワーが強くなりすぎないため、レンズをレンズホルダー４１又は鏡胴へ組み込んだ際の偏芯誤差に対する収差変動を小さくすることができ、量産性を確保することができる。
【００６３】
以上の条件式（１）〜（１２）を満たすことにより、ズームレンズ１０の小型化と良好な光学性能とを確保するとともに、生産性を向上させることができる。
【００６４】
なお、ズームレンズ１０は、実質的に屈折力を有しないその他の光学素子（例えばレンズ、フィルター部材等）をさらに有するものであってもよい。
【００６５】
以上説明したズームレンズ１０では、第２レンズ群Ｇｒ２を光軸ＡＸ方向へ移動可能とすることにより、第２レンズ群Ｇｒ２を通過する軸外光束が広角端状態において光軸ＡＸから離れて通過し、広角端状態から望遠端状態まで変化する際に軸外光束が光軸ＡＸに近づくため、第２レンズ群Ｇｒ２を通過する軸外光束の高さの変化により、レンズの広角端状態と望遠端状態との間の位置の変化に際して発生する軸外収差の変動を良好に補正することができる。また、第４レンズ群Ｇｒ４を光軸ＡＸ方向へ移動可能とすることにより、第４レンズ群Ｇｒ４を通過する軸外光束も、レンズの広角端状態と望遠端状態との間の位置の変化に際して光軸ＡＸからの距離が変化するため、レンズの位置の変化に際して発生する軸外収差の変動を良好に補正することができる。さらに、第１レンズ群Ｇｒ１と第３レンズ群Ｇｒ３とを固定することで、レンズ可動部を少なくすることができ、可動のために必要なアクチュエーターを減らすことができるため、ズームレンズ１０の小型化が可能となる。
【００６６】
また、正負正正の構成をとり、各レンズ群の空気間隔を変化させるように、第２レンズ群Ｇｒ２及び第４レンズ群Ｇｒ４を光軸ＡＸ方向に移動させ変倍及び変倍に伴う焦点位置の変化を補正することにより、少ないレンズ群ながらも諸収差を良好に補正することができ、さらに全長及び前玉径を小型化しつつも高変倍比を確保することができる。
【００６７】
高変倍なズームレンズにおいては望遠端での収差補正が課題となる。望遠端においては、第１レンズ群Ｇｒ１を太い光束が通過するためレンズの寄与が大きく、特に望遠端での球面収差の発生が大きくなる。このため、従来のように第１レンズ群Ｇｒ１を３枚又は４枚レンズで構成するのではなく、５枚のレンズで構成することにより、より第１レンズ群Ｇｒ１の収差補正能力を高め、望遠端の良好な光学性能を確保することができる。
【００６８】
また、上述のズームレンズ１０を備えた撮像装置１００は、小型であり、かつ大きな変倍範囲の撮影をすることができる。
【００６９】
〔実施例〕
以下、本発明のズームレンズの実施例を示す。各実施例に使用する記号は下記の通りである。なお、長さに関するものの単位はｍｍである。
ｒ      ：曲率半径
ｄ      ：軸上面間隔
ｎｄ    ：レンズ材料のｄ線に対する屈折率
ｖｄ    ：レンズ材料のアッベ数
ＥＲ    ：有効径
【００７０】
各実施例において、各面番号の後に「＊」が記載されている面が非球面形状を有する面であり、非球面の形状は、面の頂点を原点とし、光軸ＡＸ方向にＸ軸をとり、光軸ＡＸと垂直方向の高さをｈとして以下の「数１」で表す。
【数１】
2018225842.tif 000003
ここで、
Ａｉ：ｉ次の非球面係数
Ｒ  ：曲率半径
Ｋ  ：円錐定数
【００７１】
〔実施例１〕
実施例１のズームレンズのレンズ面のデータを以下の表１に示す。なお、以下の表１等において、面番号を「Surf.N」で表し、開口絞りＳＴを「ST」で表し、無限大を「INF」で表している。また、間隔が可変であることを「dn」（n=1〜4）で表している。
〔表１〕
Surf. N  r(mm)     d(mm)   nd       vd      ER(mm)
1        108.484   1.200   1.9037   31.31   44.900
2         54.609   5.778   1.4370   95.10   42.870
3       -333.749   0.150                    42.469
4         45.577   4.331   1.4370   95.10   38.294
5        517.432   0.200                    37.943
6         40.152   2.764   1.4370   95.10   33.863
7         97.645   0.150                    33.375
8         30.324   2.315   1.4370   95.10   29.562
9         55.122   d1                       29.000
10*       59.932   0.470   1.8839   37.20   15.567
11*        6.839   5.531                    11.589
12       -10.377   0.420   1.7292   54.67   11.162
13      -156.740   0.200                    11.655
14        51.848   1.610   1.9459   17.98   11.908
15       -30.615   d2                       11.964
ST         INF     0.500                    12.845
17*       14.397   3.869   1.8014   45.45   13.490
18*     -125.145   1.714                    12.948
19        26.937   1.599   1.6180   63.39   11.558
20       -69.100   0.010   1.5140   42.83   11.178
21       -69.100   0.500   1.9037   31.31   11.173
22        12.043   d3                       10.410
23*       10.799   2.986   1.4971   81.56   11.526
24*       92.992   1.483                    11.204
25        45.407   0.500   1.9037   31.31   11.278
26        13.852   4.166   1.4875   70.44   11.160
27       -12.757   d4                       11.407
28         INF     1.000   1.5488   66.93    7.579
29         INF     1.000                     7.323
30         INF     0.000                     6.944
【００７２】
実施例１のレンズ面の非球面係数を以下の表２に示す。なお、これ以降（表のレンズデータを含む）において、１０のべき乗数（例えば２．５×１０−０２）をＥ（例えば２．５Ｅ−０２）を用いて表すものとする。
〔表２〕
第10面
K=0.000000E+00, A4=1.659846E-04, A6=-2.555987E-06, 
A8=3.569611E-09, A10=1.944462E-10, A12=-1.181142E-12
第11面
K=0.000000E+00, A4=4.655592E-05, A6=3.027244E-07, 
A8=-4.972142E-08, A10=-1.698603E-09, A12=-1.638156E-11
第17面
K=0.000000E+00, A4=-3.934472E-05, A6=-3.087802E-08, 
A8=0.000000E+00, A10=0.000000E+00, A12=0.000000E+00
第18面
K=0.000000E+00, A4=-5.522501E-06, A6=1.338813E-07, 
A8=0.000000E+00, A10=0.000000E+00, A12=0.000000E+00
第23面
K=0.000000E+00, A4=2.104559E-05, A6=1.275829E-06, 
A8=0.000000E+00, A10=0.000000E+00, A12=0.000000E+00
第24面
K=0.000000E+00, A4=2.772518E-04, A6=2.277546E-06, 
A8=0.000000E+00, A10=0.000000E+00, A12=0.000000E+00
【００７３】
実施例１のズームレンズのポジション（広角端（Ｗｉｄｅ）、中間（Ｍｉｄｄｌｅ）、及び望遠端（Ｔｅｌｅ））のうち、各ポジションにおける全系の焦点距離、Ｆ値（Ｆｎｏ）、最大画角、間隔（ｄ１、ｄ２、ｄ３、ｄ４）、入射瞳位置、及び射出瞳位置を以下の表３に示す。間隔ｄｎ（ｎ＝１〜４）は、表１で表した可変間隔に対応する。なお、長さに関するものの単位はｍｍであり、角度の単位は°（度）である。
〔表３〕
Wide       Middle     Tele
焦点距離        5.05      29.94     144.16
Fno             1.64       4.14       4.55
最大画角       66.69      12.75       2.71
d1              0.500     21.500     30.265
d2             30.265      9.265      0.500
d3              8.694      2.672     17.824
d4             11.096     17.117      1.966
入射瞳位置     24.44     132.34     427.49
射出瞳位置  -1591.09     -48.71      39.15
【００７４】
実施例１の単レンズ群データを以下の表４に示す。
〔表４〕
群焦点距離（ｍｍ）
第1レンズ群   44.377
第2レンズ群   -7.643
第3レンズ群   39.309
第4レンズ群   16.31
【００７５】
図２Ａ〜２Ｃは、ズームレンズ１０Ａの断面図であり、実施例１のズームレンズ１０Ａのズーム動作の際のポジションをそれぞれ示している。すなわち、図２Ａは、ズームレンズ１０Ａの広角端における断面図である。図２Ｂは、中間における断面図である。図２Ｃは、望遠端における断面図である。なお、これ以降の断面図は全て被写体距離が無限遠のときの断面図である。
【００７６】
実施例１のズームレンズ１０Ａは、物体側より順に、正の屈折力を有する第１レンズ群Ｇｒ１と、負の屈折力を有する第２レンズ群Ｇｒ２と、正の屈折力を有する第３レンズ群Ｇｒ３と、正の屈折力を有する第４レンズ群Ｇｒ４とからなる。
【００７７】
第１レンズ群Ｇｒ１は、第１Ａ〜第５ＡレンズＬ１Ａ〜Ｌ５Ａを有し、第２Ａ〜第５ＡレンズＬ２Ａ〜Ｌ５Ａが正レンズとなっている。これらの正レンズのうち第３Ａ〜第５ＡレンズＬ３Ａ〜Ｌ５Ａは、物体側凸のメニスカス形状を有している。第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第１ＢレンズＬ１Ｂは、非球面形状を有している。第２ＢレンズＬ２Ｂは、物体側凹となる面形状を有している。第３レンズ群Ｇｒ３は、第１Ｃ〜第３ＣレンズＬ１Ｃ〜Ｌ３Ｃを有し、第１ＣレンズＬ１Ｃが正レンズであり、第２ＣレンズＬ２Ｃが正レンズであり、第３ＣレンズＬ３Ｃが負レンズとなっている。また、第１ＣレンズＬ１Ｃは、非球面形状を有している。なお、第３レンズ群Ｇｒ３において、第２ＣレンズＬ２Ｃと第３ＣレンズＬ３Ｃとは、接着剤を介して接合されている。第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第１ＤレンズＬ１Ｄは、非球面形状を有している。第１〜第５レンズ群Ｇｒ１〜Ｇｒ５を構成するレンズは、ガラス材料で形成されている。
【００７８】
第２レンズ群Ｇｒ２と第３レンズ群Ｇｒ３との間には、開口絞りＳＴが配置されている。ズームレンズ１０Ａにおいて、第２及び第４レンズ群Ｇｒ２，Ｇｒ４が光軸ＡＸ方向に沿って可動となっている。開口絞りＳＴは、変倍時において像面又は撮像面Ｉに対して固定されている。第３ＤレンズＬ３Ｄと撮像素子５１との間には、適当な厚さの固定フィルターＦが配置されている。固定フィルターＦは、光学的ローパスフィルター、ＩＲカットフィルター、撮像素子のシールガラス等を想定した平行平板である。符号Ｉは、撮像素子５１の被投影面である撮像面を示す（以降の実施例でも同様）。
【００７９】
図３Ａ〜３Ｃは、ズームレンズ１０Ａの広角端における無限遠合焦時の収差図（球面収差、非点収差、及び歪曲収差）である。図３Ｄ〜３Ｆは、中間における無限遠合焦時の収差図（球面収差、非点収差、及び歪曲収差）である。図３Ｇ〜３Ｉは、望遠端における無限遠合焦時の収差図（球面収差、非点収差、及び歪曲収差）である。なお、上記収差図及び以後の収差図において、非点収差図では、実線がサジタル像面を表し、点線がメリジオナル像面を表すものとする。また、図３Ａ、３Ｄ、及び３Ｇ中の「ｆ」は、焦点距離（単位：ｍｍ）を示す（以降の実施例でも同様）。
【００８０】
〔実施例２〕
実施例２のズームレンズのレンズ面のデータを以下の表５に示す。
〔表５〕
Surf. N  r(mm)     d(mm)   nd       vd      ER(mm)
1        125.312   1.200   1.9037   31.31   40.680
2         58.918   5.000   1.4370   95.10   38.479
3       -245.325   0.150                    37.609
4         48.306   3.828   1.4370   95.10   33.340
5        376.281   0.200                    32.851
6         39.208   3.603   1.4370   95.10   31.173
7        102.747   0.150                    30.219
8         30.312   2.419   1.4370   95.10   28.200
9         56.253   d1                       27.620
10*       49.485   0.470   1.8839   37.20   15.269
11*        6.689   5.594                    11.530
12       -11.371   0.420   1.7292   54.67   11.070
13       102.391   0.624                    11.545
14        37.598   1.630   1.9459   17.98   12.020
15       -39.366   d2                       12.080
ST         INF     0.500                    13.490
17*       13.548   3.519   1.8208   42.71   14.203
18*     -121.386   0.208                    13.700
19        14.855   3.407   1.4875   70.44   12.337
20       -25.808   0.010   1.5140   42.83   11.129
21       -25.808   0.500   1.9037   31.31   11.120
22        10.234   d3                        9.920
23*       10.642   3.677   1.4971   81.56   10.800
24*      -60.262   1.382                    10.520
25        98.258   0.500   2.0010   29.13   10.344
26        13.458   3.809   1.5481   45.82   10.280
27       -14.368   d4                       10.375
28         INF     1.000   1.5488   66.93    7.553
29         INF     1.000                     7.306
30         INF     0.000                     6.918
【００８１】
実施例２のレンズ面の非球面係数を以下の表６に示す。
〔表６〕
第10面
K=0.000000E+00, A4=1.563074E-04, A6=-3.232794E-06, 
A8=1.000050E-08, A10=1.910509E-10, A12=-1.290256E-12
第11面
K=0.000000E+00, A4=4.650852E-05, A6=1.178685E-06, 
A8=-3.009672E-07, A10=6.627629E-09, A12=-1.502152E-10
第17面
K=0.000000E+00, A4=-1.513296E-05, A6=-2.947956E-08, 
A8=0.000000E+00, A10=0.000000E+00, A12=0.000000E+00
第18面
K=0.000000E+00, A4=1.057353E-05, A6=-1.884709E-09, 
A8=0.000000E+00, A10=0.000000E+00, A12=0.000000E+00
第23面
K=0.000000E+00, A4=-3.816763E-05, A6=1.323131E-06, 
A8=0.000000E+00, A10=0.000000E+00, A12=0.000000E+00
第24面
K=0.000000E+00, A4=2.109535E-04, A6=1.866676E-06, 
A8=0.000000E+00, A10=0.000000E+00, A12=0.000000E+00
【００８２】
実施例２のズームレンズのポジション（広角端、中間、及び望遠端）のうち、各ポジションにおける全系の焦点距離、Ｆ値、最大画角、間隔、入射瞳位置、及び射出瞳位置を以下の表７に示す。
〔表７〕
Wide       Middle     Tele
焦点距離        5.05      29.95     144.05
Fno             1.64       4.47       4.55
最大画角       66.69      12.75       2.71
d1              0.500     21.245     30.385
d2             30.385      9.640      0.500
d3              9.561      2.505     17.326
d4              9.754     16.809      1.988
入射瞳位置     24.13     129.32     451.45
射出瞳位置  -4152.65     -42.09      41.90
【００８３】
実施例２の単レンズ群データを以下の表８に示す。
〔表８〕
群焦点距離
第1レンズ群   44.710
第2レンズ群   -7.318
第3レンズ群   34.383
第4レンズ群   15.996
【００８４】
図４Ａ〜４Ｃは、ズームレンズ１０Ｂの断面図であり、実施例２のズームレンズ１０Ｂのズーム動作の際のポジションをそれぞれ示している。すなわち、図４Ａは、ズームレンズ１０Ｂの広角端における断面図である。図４Ｂは、中間における断面図である。図４Ｃは、望遠端における断面図である。
【００８５】
実施例２のズームレンズ１０Ｂは、物体側より順に、正の屈折力を有する第１レンズ群Ｇｒ１と、負の屈折力を有する第２レンズ群Ｇｒ２と、正の屈折力を有する第３レンズ群Ｇｒ３と、正の屈折力を有する第４レンズ群Ｇｒ４とからなる。
【００８６】
第１レンズ群Ｇｒ１は、第１Ａ〜第５ＡレンズＬ１Ａ〜Ｌ５Ａを有し、第２Ａ〜第５ＡレンズＬ２Ａ〜Ｌ５Ａが正レンズとなっている。これらの正レンズのうち第３Ａ〜第５ＡレンズＬ３Ａ〜Ｌ５Ａは、物体側凸のメニスカス形状を有している。第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第１ＢレンズＬ１Ｂは、非球面形状を有している。第２ＢレンズＬ２Ｂは、物体側凹となる面形状を有している。第３レンズ群Ｇｒ３は、第１Ｃ〜第３ＣレンズＬ１Ｃ〜Ｌ３Ｃを有し、第１ＣレンズＬ１Ｃが正レンズであり、第２ＣレンズＬ２Ｃが正レンズであり、第３ＣレンズＬ３Ｃが負レンズとなっている。また、第１ＣレンズＬ１Ｃは、非球面形状を有している。なお、第３レンズ群Ｇｒ３において、第２ＣレンズＬ２Ｃと第３ＣレンズＬ３Ｃとは、接着剤を介して接合されている。第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第１ＤレンズＬ１Ｄは、非球面形状を有している。第１〜第５レンズ群Ｇｒ１〜Ｇｒ５を構成するレンズは、ガラス材料で形成されている。
【００８７】
第２レンズ群Ｇｒ２と第３レンズ群Ｇｒ３との間には、開口絞りＳＴが配置されている。ズームレンズ１０Ｂにおいて、第２及び第４レンズ群Ｇｒ２，Ｇｒ４が光軸ＡＸ方向に沿って可動となっている。開口絞りＳＴは、変倍時において像面又は撮像面Ｉに対して固定されている。第３ＤレンズＬ３Ｄと撮像素子５１との間には、適当な厚さの固定フィルターＦが配置されている。
【００８８】
図５Ａ〜５Ｃは、ズームレンズ１０Ｂの広角端における無限遠合焦時の収差図（球面収差、非点収差、及び歪曲収差）である。図５Ｄ〜５Ｆは、中間における無限遠合焦時の収差図（球面収差、非点収差、及び歪曲収差）である。図５Ｇ〜５Ｉは、望遠端における無限遠合焦時の収差図（球面収差、非点収差、及び歪曲収差）である。
【００８９】
〔実施例３〕
実施例３のズームレンズのレンズ面のデータを以下の表９に示す。
〔表９〕
Surf. N  r(mm)     d(mm)   nd       vd      ER(mm)
1         83.878   1.200   1.9108   35.25   39.573
2         40.242   5.436   1.4370   95.10   36.696
3       -696.366   0.150                    36.046
4         38.657   4.398   1.4370   95.10   33.126
5        479.182   0.200                    32.726
6         36.041   3.046   1.4370   95.10   30.757
7         95.458   0.150                    30.203
8         34.285   2.401   1.5935   67.00   28.437
9         55.793   d1                       27.520
10*       45.428   0.470   1.8839   37.20   14.892
11*        6.561   4.679                    11.180
12       -11.790   0.420   1.8042   46.50   10.927
13       123.522   1.647                    11.246
14        46.374   2.100   1.9459   17.98   11.980
15       -37.866   d2                       12.060
ST         INF     0.500                    12.769
17*       14.904   3.099   1.7725   49.46   13.340
18*      -64.781   2.382                    13.020
19        66.753   2.958   1.4875   70.44   11.282
20       -38.237   0.010   1.5140   42.83   10.215
21       -38.237   0.500   1.9037   31.31   10.211
22        14.276   d3                        9.740
23*       11.995   3.296   1.4971   81.56   10.800
24*      -33.022   0.747                    10.729
25       334.433   1.000   1.9037   31.31   11.060
26        18.155   4.700   1.4875   70.44   10.673
27       -12.261   d4                       11.045
28         INF     1.000   1.5488   66.93    7.679
29         INF     1.000                     7.384
30         INF     0.000                     6.919
【００９０】
実施例３のレンズ面の非球面係数を以下の表１０に示す。
〔表１０〕
第10面
K=0.000000E+00, A4=1.207499E-04, A6=-2.996362E-06, 
A8=1.456989E-08, A10=1.218998E-10, A12=-1.040217E-12
第11面
K=0.000000E+00, A4=1.334075E-05, A6=-1.112244E-06, 
A8=-1.706444E-07, A10=3.262837E-09, A12=-1.317221E-10
第17面
K=0.000000E+00, A4=-2.077957E-05, A6=0.000000E+00, 
A8=0.000000E+00, A10=0.000000E+00, A12=0.000000E+00
第18面
K=0.000000E+00, A4=2.441695E-05, A6=0.000000E+00, 
A8=0.000000E+00, A10=0.000000E+00, A12=0.000000E+00
第23面
K=0.000000E+00, A4=-2.687605E-05, A6=1.515503E-06, 
A8=1.770005E-09, A10=0.000000E+00, A12=0.000000E+00
第24面
K=0.000000E+00, A4=2.389852E-04, A6=2.103793E-06, 
A8=4.245407E-09, A10=0.000000E+00, A12=0.000000E+00
【００９１】
実施例３のズームレンズのポジション（広角端、中間、及び望遠端）のうち、各ポジションにおける全系の焦点距離、Ｆ値、最大画角、間隔、入射瞳位置、及び射出瞳位置を以下の表１１に示す。
〔表１１〕
Wide       Middle     Tele
焦点距離        5.05      29.96     144.12
Fno             1.64       4.03       4.55
最大画角       66.73      12.74       2.70
d1              0.500     19.882     27.635
d2             27.635      8.253      0.500
d3              7.904      2.195     17.346
d4             11.472     17.181      2.030
入射瞳位置     24.00     130.31     441.22
射出瞳位置    214.79     -55.13      29.47
【００９２】
実施例３の単レンズ群データを以下の表１２に示す。
〔表１２〕
群焦点距離
第1レンズ群   41.227
第2レンズ群   -7.391
第3レンズ群   43.549
第4レンズ群   14.980
【００９３】
図６Ａ〜６Ｃは、ズームレンズ１０Ｃの断面図であり、実施例３のズームレンズ１０Ｃのズーム動作の際のポジションをそれぞれ示している。すなわち、図６Ａは、ズームレンズ１０Ｃの広角端における断面図である。図６Ｂは、中間における断面図である。図６Ｃは、望遠端における断面図である。
【００９４】
実施例３のズームレンズ１０Ｃは、物体側より順に、正の屈折力を有する第１レンズ群Ｇｒ１と、負の屈折力を有する第２レンズ群Ｇｒ２と、正の屈折力を有する第３レンズ群Ｇｒ３と、正の屈折力を有する第４レンズ群Ｇｒ４とからなる。
【００９５】
第１レンズ群Ｇｒ１は、第１Ａ〜第５ＡレンズＬ１Ａ〜Ｌ５Ａを有し、第２Ａ〜第５ＡレンズＬ２Ａ〜Ｌ５Ａが正レンズとなっている。これらの正レンズのうち第３Ａ〜第５ＡレンズＬ３Ａ〜Ｌ５Ａは、物体側凸のメニスカス形状を有している。第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第１ＢレンズＬ１Ｂは、非球面形状を有している。第２ＢレンズＬ２Ｂは、物体側凹となる面形状を有している。第３レンズ群Ｇｒ３は、第１Ｃ〜第３ＣレンズＬ１Ｃ〜Ｌ３Ｃを有し、第１ＣレンズＬ１Ｃが正レンズであり、第２ＣレンズＬ２Ｃが正レンズであり、第３ＣレンズＬ３Ｃが負レンズとなっている。また、第１ＣレンズＬ１Ｃは、非球面形状を有している。なお、第３レンズ群Ｇｒ３において、第２ＣレンズＬ２Ｃと第３ＣレンズＬ３Ｃとは、接着剤を介して接合されている。第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第１ＤレンズＬ１Ｄは、非球面形状を有している。第１〜第５レンズ群Ｇｒ１〜Ｇｒ５を構成するレンズは、ガラス材料で形成されている。
【００９６】
第２レンズ群Ｇｒ２と第３レンズ群Ｇｒ３との間には、開口絞りＳＴが配置されている。ズームレンズ１０Ｃにおいて、第２及び第４レンズ群Ｇｒ２，Ｇｒ４が光軸ＡＸ方向に沿って可動となっている。開口絞りＳＴは、変倍時において像面又は撮像面Ｉに対して固定されている。第３ＤレンズＬ３Ｄと撮像素子５１との間には、適当な厚さの固定フィルターＦが配置されている。
【００９７】
図７Ａ〜７Ｃは、ズームレンズ１０Ｃの広角端における無限遠合焦時の収差図（球面収差、非点収差、及び歪曲収差）である。図７Ｄ〜７Ｆは、中間における無限遠合焦時の収差図（球面収差、非点収差、及び歪曲収差）である。図７Ｇ〜７Ｉは、望遠端における無限遠合焦時の収差図（球面収差、非点収差、及び歪曲収差）である。
【００９８】
〔実施例４〕
実施例４のズームレンズのレンズ面のデータを以下の表１３に示す。
〔表１３〕
Surf. N  r(mm)     d(mm)   nd       vd      ER(mm)
1         99.806   1.200   1.9108   35.25   42.916
2         45.555   5.654   1.4370   95.10   39.936
3       -891.856   0.150                    39.257
4         44.961   4.247   1.4370   95.10   38.195
5        260.526   0.200                    37.922
6         45.071   3.701   1.4970   81.61   36.210
7        202.819   0.150                    35.769
8         32.819   2.699   1.4970   81.61   32.505
9         59.933   d1                       31.960
10        26.221   0.470   2.0010   29.13   15.206
11         8.927   4.198                    12.331
12*      -14.870   0.420   1.8208   42.71   11.681
13*       10.334   1.951                    11.318
14        24.348   1.947   1.9459   17.98   12.135
15       -42.575   d2                       12.171
ST         INF     0.500                    13.072
17*       18.202   2.734   1.7130   53.94   13.575
18*      -74.688   5.966                    13.401
19        26.765   1.807   1.6180   63.39   10.867
20       -33.586   0.010   1.5140   42.83   10.556
21       -33.586   0.500   1.9037   31.31   10.552
22        16.317   d3                       10.101
23        12.000   3.834   1.4970   81.61   11.401
24       -16.189   0.500   1.7725   49.62   11.292
25        28.286   0.300                    11.395
26*       15.345   4.914   1.4971   81.56   11.657
27*      -12.054   d4                       11.964
28         INF     1.000   1.5488   66.93    7.659
29         INF     1.000                     7.366
30         INF     0.000                     6.910
【００９９】
実施例４のレンズ面の非球面係数を以下の表１４に示す。
〔表１４〕
第12面
K=0.000000E+00, A4=8.997803E-05, A6=-1.109509E-05, 
A8=3.447686E-07, A10=-3.523803E-09, A12=0.000000E+00
第13面
K=0.000000E+00, A4=-1.462892E-04, A6=-1.125307E-05, 
A8=3.961216E-07, A10=-4.564003E-09, A12=0.000000E+00
第17面
K=0.000000E+00, A4=-2.553974E-05, A6=3.507252E-08, 
A8=0.000000E+00, A10=0.000000E+00, A12=0.000000E+00
第18面
K=0.000000E+00, A4=-1.258519E-06, A6=7.832305E-08, 
A8=0.000000E+00, A10=0.000000E+00, A12=0.000000E+00
第26面
K=0.000000E+00, A4=-1.910893E-04, A6=-4.743497E-07, 
A8=-7.990596E-09, A10=0.000000E+00, A12=0.000000E+00
第27面
K=0.000000E+00, A4=1.070014E-04, A6=-8.241186E-08, 
A8=-2.211416E-08, A10=2.027695E-10, A12=0.000000E+00
【０１００】
実施例４のズームレンズのポジション（広角端、中間、及び望遠端）のうち、各ポジションにおける全系の焦点距離、Ｆ値、最大画角、間隔、入射瞳位置、及び射出瞳位置を以下の表１５に示す。
〔表１５〕
Wide       Middle     Tele
焦点距離        5.05      29.95     165.78
Fno             1.64       3.45       4.55
最大画角       66.76      12.75       2.35
d1              0.500     21.670     29.750
d2             29.750      8.580      0.500
d3              8.197      2.203     17.751
d4             11.502     17.496      1.948
入射瞳位置     25.84     143.71     455.78
射出瞳位置     86.06     -87.75      29.99
【０１０１】
実施例４の単レンズ群データを以下の表１６に示す。
〔表１６〕
群焦点距離
第1レンズ群   44.308
第2レンズ群   -7.397
第3レンズ群   37.083
第4レンズ群   15.855
【０１０２】
図８Ａ〜８Ｃは、ズームレンズ１０Ｄの断面図であり、実施例４のズームレンズ１０Ｄのズーム動作の際のポジションをそれぞれ示している。すなわち、図８Ａは、ズームレンズ１０Ｄの広角端における断面図である。図８Ｂは、中間における断面図である。図８Ｃは、望遠端における断面図である。
【０１０３】
実施例４のズームレンズ１０Ｄは、物体側より順に、正の屈折力を有する第１レンズ群Ｇｒ１と、負の屈折力を有する第２レンズ群Ｇｒ２と、正の屈折力を有する第３レンズ群Ｇｒ３と、正の屈折力を有する第４レンズ群Ｇｒ４とからなる。
【０１０４】
第１レンズ群Ｇｒ１は、第１Ａ〜第５ＡレンズＬ１Ａ〜Ｌ５Ａを有し、第２Ａ〜第５ＡレンズＬ２Ａ〜Ｌ５Ａが正レンズとなっている。これらの正レンズのうち第３Ａ〜第５ＡレンズＬ３Ａ〜Ｌ５Ａは、物体側凸のメニスカス形状を有している。第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第２ＢレンズＬ２Ｂは、非球面形状を有している。第２ＢレンズＬ２Ｂは、物体側凹となる面形状を有している。第３レンズ群Ｇｒ３は、第１Ｃ〜第３ＣレンズＬ１Ｃ〜Ｌ３Ｃを有し、第１ＣレンズＬ１Ｃが正レンズであり、第２ＣレンズＬ２Ｃが正レンズであり、第３ＣレンズＬ３Ｃが負レンズとなっている。また、第１ＣレンズＬ１Ｃは、非球面形状を有している。なお、第３レンズ群Ｇｒ３において、第２ＣレンズＬ２Ｃと第３ＣレンズＬ３Ｃとは、接着剤を介して接合されている。第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第３ＤレンズＬ３Ｄは、非球面形状を有している。第１〜第５レンズ群Ｇｒ１〜Ｇｒ５を構成するレンズは、ガラス材料で形成されている。
【０１０５】
第２レンズ群Ｇｒ２と第３レンズ群Ｇｒ３との間には、開口絞りＳＴが配置されている。ズームレンズ１０Ｄにおいて、第２及び第４レンズ群Ｇｒ２，Ｇｒ４が光軸ＡＸ方向に沿って可動となっている。開口絞りＳＴは、変倍時において像面又は撮像面Ｉに対して固定されている。第３ＤレンズＬ３Ｄと撮像素子５１との間には、適当な厚さの固定フィルターＦが配置されている。
【０１０６】
図９Ａ〜９Ｃは、ズームレンズ１０Ｄの広角端における無限遠合焦時の収差図（球面収差、非点収差、及び歪曲収差）である。図９Ｄ〜９Ｆは、中間における無限遠合焦時の収差図（球面収差、非点収差、及び歪曲収差）である。図９Ｇ〜９Ｉは、望遠端における無限遠合焦時の収差図（球面収差、非点収差、及び歪曲収差）である。
【０１０７】
〔実施例５〕
実施例５のズームレンズのレンズ面のデータを以下の表１７に示す。
〔表１７〕
Surf. N  r(mm)     d(mm)   nd       vd      ER(mm)
1        124.457   1.200   1.9108   35.25   37.677
2         53.028   4.638   1.4370   95.10   35.420
3       -194.631   0.150                    34.738
4         43.365   3.328   1.4370   95.10   32.865
5        201.364   0.200                    32.553
6         42.652   2.566   1.4370   95.10   31.232
7        108.217   0.150                    30.805
8         36.485   2.117   1.4970   81.61   29.221
9         67.693   d1                       28.740
10*       79.592   0.470   1.8839   37.20   16.311
11*        7.588   5.459                    12.437
12       -11.155   0.420   1.5935   67.00   12.196
13     -1127.960   0.934                    12.644
14        51.871   1.524   1.9459   17.98   13.077
15       -46.176   d2                       13.100
ST         INF     0.500                    13.268
17*       14.029   3.101   1.7550   51.16   13.831
18*     -212.129   3.556                    13.460
19        30.532   0.500   2.0007   25.46   11.112
20        12.120   d3                       10.560
21*       11.363   2.574   1.4971   81.56   10.700
22*      221.994   1.048                    10.527
23        82.464   0.559   1.8061   33.27   10.534
24        14.600   4.146   1.4875   70.44   10.462
25       -13.952   d4                       10.675
26         INF     1.000   1.5488   66.93    7.528
27         INF     1.000                     7.289
28         INF     0.000                     6.917
【０１０８】
実施例５のレンズ面の非球面係数を以下の表１８に示す。
〔表１８〕
第10面
K=0.000000E+00, A4=1.444943E-04, A6=-2.163467E-06, 
A8=3.273388E-09, A10=1.569530E-10, A12=-9.858879E-13
第11面
K=0.000000E+00, A4=5.319831E-05, A6=3.633587E-07, 
A8=-6.475534E-08, A10=-2.886911E-10, A12=-2.822815E-12
第17面
K=0.000000E+00, A4=-3.643001E-05, A6=-8.617225E-08, 
A8=0.000000E+00, A10=0.000000E+00, A12=0.000000E+00
第18面
K=0.000000E+00, A4=4.224299E-06, A6=5.929954E-08, 
A8=0.000000E+00, A10=0.000000E+00, A12=0.000000E+00
第21面
K=0.000000E+00, A4=-8.088787E-06, A6=1.454415E-06, 
A8=0.000000E+00, A10=0.000000E+00, A12=0.000000E+00
第22面
K=0.000000E+00, A4=1.922127E-04, A6=2.053499E-06, 
A8=0.000000E+00, A10=0.000000E+00, A12=0.000000E+00
【０１０９】
実施例５のズームレンズのポジション（広角端、中間、及び望遠端）のうち、各ポジションにおける全系の焦点距離、Ｆ値、最大画角、間隔、入射瞳位置、及び射出瞳位置を以下の表１９に示す。
〔表１９〕
Wide       Middle     Tele
焦点距離        5.05      30.00     144.14
Fno             1.64       4.11       4.55
最大画角       69.02      12.82       2.71
d1              0.500     24.171     33.757
d2             33.757     10.086      0.500
d3              7.864      2.500     17.634
d4             11.740     17.104      1.970
入射瞳位置     22.40     137.89     454.85
射出瞳位置   -165.16     -45.40      47.01
【０１１０】
実施例５の単レンズ群データを以下の表２０に示す。
〔表２０〕
群焦点距離
第1レンズ群   47.636
第2レンズ群   -8.640
第3レンズ群   42.135
第4レンズ群   17.069
【０１１１】
図１０Ａ〜１０Ｃは、ズームレンズ１０Ｅの断面図であり、実施例５のズームレンズ１０Ｅのズーム動作の際のポジションをそれぞれ示している。すなわち、図１０Ａは、ズームレンズ１０Ｅの広角端における断面図である。図１０Ｂは、中間における断面図である。図１０Ｃは、望遠端における断面図である。
【０１１２】
実施例５のズームレンズ１０Ｅは、物体側より順に、正の屈折力を有する第１レンズ群Ｇｒ１と、負の屈折力を有する第２レンズ群Ｇｒ２と、正の屈折力を有する第３レンズ群Ｇｒ３と、正の屈折力を有する第４レンズ群Ｇｒ４とからなる。
【０１１３】
第１レンズ群Ｇｒ１は、第１Ａ〜第５ＡレンズＬ１Ａ〜Ｌ５Ａを有し、第２Ａ〜第５ＡレンズＬ２Ａ〜Ｌ５Ａが正レンズとなっている。これらの正レンズのうち第３Ａ〜第５ＡレンズＬ３Ａ〜Ｌ５Ａは、物体側凸のメニスカス形状を有している。第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第１ＢレンズＬ１Ｂは、非球面形状を有している。第２ＢレンズＬ２Ｂは、物体側凹となる面形状を有している。第３レンズ群Ｇｒ３は、第１Ｃ及び第２ＣレンズＬ１Ｃ，Ｌ２Ｃを有し、第１ＣレンズＬ１Ｃが正レンズであり、第２ＣレンズＬ２Ｃが負レンズとなっている。また、第１ＣレンズＬ１Ｃは、非球面形状を有している。第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第１ＤレンズＬ１Ｄは、非球面形状を有している。第１〜第５レンズ群Ｇｒ１〜Ｇｒ５を構成するレンズは、ガラス材料で形成されている。
【０１１４】
第２レンズ群Ｇｒ２と第３レンズ群Ｇｒ３との間には、開口絞りＳＴが配置されている。ズームレンズ１０Ｃにおいて、第２及び第４レンズ群Ｇｒ２，Ｇｒ４が光軸ＡＸ方向に沿って可動となっている。開口絞りＳＴは、変倍時において像面又は撮像面Ｉに対して固定されている。第３ＤレンズＬ３Ｄと撮像素子５１との間には、適当な厚さの固定フィルターＦが配置されている。
【０１１５】
図１１Ａ〜１１Ｃは、ズームレンズ１０Ｅの広角端における無限遠合焦時の収差図（球面収差、非点収差、及び歪曲収差）である。図１１Ｄ〜１１Ｆは、中間における無限遠合焦時の収差図（球面収差、非点収差、及び歪曲収差）である。図１１Ｇ〜１１Ｉは、望遠端における無限遠合焦時の収差図（球面収差、非点収差、及び歪曲収差）である。
【０１１６】
〔実施例６〕
実施例６のズームレンズのレンズ面のデータを以下の表２１に示す。
〔表２１〕
Surf. N  r(mm)     d(mm)   nd       vd      ER(mm)
1        119.488   1.200   1.9037   31.31   34.953
2         50.567   3.805   1.4370   95.10   32.825
3       -451.633   0.150                    32.169
4         47.745   2.895   1.4370   95.10   31.390
5        300.810   0.200                    31.165
6         41.749   2.202   1.4370   95.10   29.982
7         91.803   0.150                    29.639
8         40.168   1.979   1.6968   55.46   28.608
9         77.135   d1                       28.160
10*      121.142   0.470   1.8839   37.20   17.182
11*        7.729   6.252                    12.909
12        -9.823   0.420   1.4875   70.44   12.686
13       -63.254   0.319                    13.346
14        62.525   1.559   1.9459   17.98   13.669
15       -44.109   d2                       13.700
ST         INF     0.500                    12.994
17*       15.703   3.933   1.7290   54.04   13.463
18*     -110.613   4.285                    12.940
19        33.508   0.500   2.0007   25.46   10.629
20        13.344   d3                       10.200
21*       12.333   2.488   1.4971   81.56   10.500
22*      128.087   0.629                    10.391
23        18.787   1.000   1.8061   33.27   10.400
24         8.912   4.700   1.4875   70.44    9.975
25       -22.221   d4                        9.954
26         INF     1.000   1.5488   66.93    7.545
27         INF     1.000                     7.299
28         INF     0.000                     6.914
【０１１７】
実施例６のレンズ面の非球面係数を以下の表２２に示す。
〔表２２〕
第10面
K=0.000000E+00, A4=1.656280E-04, A6=-1.907612E-06, 
A8=2.961229E-09, A10=1.261422E-10, A12=-7.644196E-13
第11面
K=0.000000E+00, A4=4.872304E-05, A6=6.496702E-07, 
A8=-4.716895E-08, A10=-6.941254E-10, A12=9.120506E-12
第17面
K=0.000000E+00, A4=-2.941177E-05, A6=-4.359199E-08, 
A8=0.000000E+00, A10=0.000000E+00, A12=0.000000E+00
第18面
K=0.000000E+00, A4=9.613877E-06, A6=2.287807E-08, 
A8=0.000000E+00, A10=0.000000E+00, A12=0.000000E+00
第21面
K=0.000000E+00, A4=-9.128644E-06, A6=0.000000E+00, 
A8=0.000000E+00, A10=0.000000E+00, A12=0.000000E+00
第22面
K=0.000000E+00, A4=8.011828E-05, A6=0.000000E+00, 
A8=0.000000E+00, A10=0.000000E+00, A12=0.000000E+00
【０１１８】
実施例６のズームレンズのポジション（広角端、中間、及び望遠端）のうち、各ポジションにおける全系の焦点距離、Ｆ値、最大画角、間隔、入射瞳位置、及び射出瞳位置を以下の表２３に示す。
〔表２３〕
Wide       Middle     Tele
焦点距離        5.05      29.95     126.32
Fno             1.64       4.05       4.55
最大画角       69.38      12.93       3.09
d1              0.500     25.075     34.083
d2             34.083      9.508      0.500
d3              8.343      3.829     16.652
d4             10.439     14.954      2.130
入射瞳位置     20.73     138.77     407.74
射出瞳位置   -425.85     -56.40      44.66
【０１１９】
実施例６の単レンズ群データを以下の表２４に示す。
〔表２４〕
群焦点距離
第1レンズ群   47.570
第2レンズ群   -9.194
第3レンズ群   42.684
第4レンズ群   16.491
【０１２０】
図１２Ａ〜１２Ｃは、ズームレンズ１０Ｆの断面図であり、実施例６のズームレンズ１０Ｆのズーム動作の際のポジションをそれぞれ示している。すなわち、図１２Ａは、ズームレンズ１０Ｆの広角端における断面図である。図１２Ｂは、中間における断面図である。図１２Ｃは、望遠端における断面図である。
【０１２１】
実施例６のズームレンズ１０Ｆは、物体側より順に、正の屈折力を有する第１レンズ群Ｇｒ１と、負の屈折力を有する第２レンズ群Ｇｒ２と、正の屈折力を有する第３レンズ群Ｇｒ３と、正の屈折力を有する第４レンズ群Ｇｒ４とからなる。
【０１２２】
第１レンズ群Ｇｒ１は、第１Ａ〜第５ＡレンズＬ１Ａ〜Ｌ５Ａを有し、第２Ａ〜第５ＡレンズＬ２Ａ〜Ｌ５Ａが正レンズとなっている。これらの正レンズのうち第３Ａ〜第５ＡレンズＬ３Ａ〜Ｌ５Ａは、物体側凸のメニスカス形状を有している。第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第１ＢレンズＬ１Ｂは、非球面形状を有している。第２ＢレンズＬ２Ｂは、物体側凹となる面形状を有している。第３レンズ群Ｇｒ３は、第１Ｃ及び第２ＣレンズＬ１Ｃ，Ｌ２Ｃを有し、第１ＣレンズＬ１Ｃが正レンズであり、第２ＣレンズＬ２Ｃが負レンズとなっている。また、第１ＣレンズＬ１Ｃは、非球面形状を有している。第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第１ＤレンズＬ１Ｄは、非球面形状を有している。第１〜第５レンズ群Ｇｒ１〜Ｇｒ５を構成するレンズは、ガラス材料で形成されている。
【０１２３】
第２レンズ群Ｇｒ２と第３レンズ群Ｇｒ３との間には、開口絞りＳＴが配置されている。ズームレンズ１０Ｃにおいて、第２及び第４レンズ群Ｇｒ２，Ｇｒ４が光軸ＡＸ方向に沿って可動となっている。開口絞りＳＴは、変倍時において像面又は撮像面Ｉに対して固定されている。第３ＤレンズＬ３Ｄと撮像素子５１との間には、適当な厚さの固定フィルターＦが配置されている。
【０１２４】
図１３Ａ〜１３Ｃは、ズームレンズ１０Ｆの広角端における無限遠合焦時の収差図（球面収差、非点収差、及び歪曲収差）である。図１３Ｄ〜１３Ｆは、中間における無限遠合焦時の収差図（球面収差、非点収差、及び歪曲収差）である。図１３Ｇ〜１３Ｉは、望遠端における無限遠合焦時の収差図（球面収差、非点収差、及び歪曲収差）である。
【０１２５】
〔実施例７〕
実施例７のズームレンズのレンズ面のデータを以下の表２５に示す。
〔表２５〕
Surf. N  r(mm)     d(mm)   nd       vd      ER(mm)
1        111.069   1.200   1.9108   35.25   45.901
2         53.544   5.961   1.4370   95.10   43.082
3      14304.800   0.150                    41.867
4         56.637   5.500   1.4370   95.10   37.449
5        364.457   0.200                    36.045
6         49.207   4.363   1.4370   95.10   34.729
7        225.799   0.150                    33.740
8         36.755   2.684   1.4970   81.61   31.510
9         80.721   d1                       31.000
10        28.700   0.470   1.9108   35.25   16.594
11         8.666   4.697                    13.080
12       -16.847   0.420   1.7292   54.67   12.535
13        17.726   4.042                    12.111
14*       48.171   1.465   1.9229   20.88   13.057
15*      -62.711   d2                       13.000
ST         INF     0.500                    13.469
17*       14.215   5.000   1.8014   45.45   14.020
18*      -82.785   0.200                    13.000
19        52.917   3.229   1.6180   63.39   12.442
20       -35.849   0.010   1.5140   42.83   11.169
21       -35.849   1.500   1.9037   31.31   11.162
22        12.622   d3                       10.022
23*       13.638   2.930   1.4971   81.56   10.600
24*      -32.852   3.711                    10.595
25        53.481   0.500   1.9037   31.31   10.292
26        13.285   3.491   1.4970   81.61   10.130
27       -14.483   d4                       10.221
28         INF     1.000   1.5488   66.93    7.476
29         INF     1.000                     7.251
30         INF     0.000                     6.906
【０１２６】
実施例７のレンズ面の非球面係数を以下の表２６に示す。
〔表２６〕
第14面
K=0.000000E+00, A4=9.151692E-05, A6=-8.008302E-08, 
A8=0.000000E+00, A10=0.000000E+00, A12=0.000000E+00
第15面
K=0.000000E+00, A4=6.018737E-05, A6=1.866762E-07, 
A8=0.000000E+00, A10=0.000000E+00, A12=0.000000E+00
第17面
K=0.000000E+00, A4=-1.829369E-05, A6=-2.060640E-08, 
A8=0.000000E+00, A10=0.000000E+00, A12=0.000000E+00
第18面
K=0.000000E+00, A4=2.944978E-05, A6=-1.586969E-08, 
A8=0.000000E+00, A10=0.000000E+00, A12=0.000000E+00
第23面
K=0.000000E+00, A4=-4.174878E-05, A6=7.184359E-07, 
A8=0.000000E+00, A10=0.000000E+00, A12=0.000000E+00
第24面
K=0.000000E+00, A4=1.240332E-04, A6=9.151528E-07, 
A8=0.000000E+00, A10=0.000000E+00, A12=0.000000E+00
【０１２７】
実施例７のズームレンズのポジション（広角端、中間、及び望遠端）のうち、各ポジションにおける全系の焦点距離、Ｆ値、最大画角、間隔、入射瞳位置、及び射出瞳位置を以下の表２７に示す。
〔表２７〕
Wide       Middle     Tele
焦点距離        5.05      29.96      126.26
Fno             1.64       4.43        4.55
最大画角       66.76      12.75        3.09
d1              0.500     25.245      34.388
d2             34.388      9.642       0.500
d3              7.172      2.397      13.727
d4              8.567     13.341       2.012
入射瞳位置     28.57     164.54      539.71
射出瞳位置   -307.28     -49.65       52.24
【０１２８】
実施例７の単レンズ群データを以下の表２８に示す。
〔表２８〕
群焦点距離
第1レンズ群   50.520
第2レンズ群   -8.850
第3レンズ群   41.895
第4レンズ群   16.015
【０１２９】
図１４Ａ〜１４Ｃは、ズームレンズ１０Ｇの断面図であり、実施例７のズームレンズ１０Ｇのズーム動作の際のポジションをそれぞれ示している。すなわち、図１４Ａは、ズームレンズ１０Ｇの広角端における断面図である。図１４Ｂは、中間における断面図である。図１４Ｃは、望遠端における断面図である。
【０１３０】
実施例７のズームレンズ１０Ｇは、物体側より順に、正の屈折力を有する第１レンズ群Ｇｒ１と、負の屈折力を有する第２レンズ群Ｇｒ２と、正の屈折力を有する第３レンズ群Ｇｒ３と、正の屈折力を有する第４レンズ群Ｇｒ４とからなる。
【０１３１】
第１レンズ群Ｇｒ１は、第１Ａ〜第５ＡレンズＬ１Ａ〜Ｌ５Ａを有し、第２Ａ〜第５ＡレンズＬ２Ａ〜Ｌ５Ａが正レンズとなっている。これらの正レンズのうち第２Ａ〜第５ＡレンズＬ２Ａ〜Ｌ５Ａは、物体側凸のメニスカス形状を有している。第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第３ＢレンズＬ３Ｂは、非球面形状を有している。第２ＢレンズＬ２Ｂは、物体側凹となる面形状を有している。第３レンズ群Ｇｒ３は、第１Ｃ〜第３ＣレンズＬ１Ｃ〜Ｌ３Ｃを有し、第１ＣレンズＬ１Ｃが正レンズであり、第２ＣレンズＬ２Ｃが正レンズであり、第３ＣレンズＬ３Ｃが負レンズとなっている。また、第１ＣレンズＬ１Ｃは、非球面形状を有している。なお、第３レンズ群Ｇｒ３において、第２ＣレンズＬ２Ｃと第３ＣレンズＬ３Ｃとは、接着剤を介して接合されている。第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第１ＤレンズＬ１Ｄは、非球面形状を有している。第１〜第５レンズ群Ｇｒ１〜Ｇｒ５を構成するレンズは、ガラス材料で形成されている。
【０１３２】
第２レンズ群Ｇｒ２と第３レンズ群Ｇｒ３との間には、開口絞りＳＴが配置されている。ズームレンズ１０Ｃにおいて、第２及び第４レンズ群Ｇｒ２，Ｇｒ４が光軸ＡＸ方向に沿って可動となっている。開口絞りＳＴは、変倍時において像面又は撮像面Ｉに対して固定されている。第３ＤレンズＬ３Ｄと撮像素子５１との間には、適当な厚さの固定フィルターＦが配置されている。
【０１３３】
図１５Ａ〜１５Ｃは、ズームレンズ１０Ｇの広角端における無限遠合焦時の収差図（球面収差、非点収差、及び歪曲収差）である。図１５Ｄ〜１５Ｆは、中間における無限遠合焦時の収差図（球面収差、非点収差、及び歪曲収差）である。図１５Ｇ〜１５Ｉは、望遠端における無限遠合焦時の収差図（球面収差、非点収差、及び歪曲収差）である。
【０１３４】
〔実施例８〕
実施例８のズームレンズのレンズ面のデータを以下の表２９に示す。
〔表２９〕
Surf. N  r(mm)     d(mm)   nd       vd      ER(mm)
1         53.064   1.200   1.8042   46.50   40.693
2         34.411   6.426   1.4370   95.10   37.691
3       2476.350   0.150                    36.788
4         38.783   1.200   1.7015   41.15   32.684
5         28.317   0.470                    31.303
6         27.307   5.167   1.4370   95.10   31.214
7        399.104   0.150                    30.933
8         29.841   3.174   1.4370   95.10   28.521
9         81.225   d1                       27.912
10*       65.421   0.470   1.8839   37.20   15.796
11*        6.713   4.840                    11.823
12       -15.126   0.420   1.7292   54.67   11.623
13        34.099   0.734                    11.899
14        25.434   2.100   1.9459   17.98   12.399
15       -58.921   d2                       12.401
ST         INF     0.500                    13.016
17*       13.705   3.289   1.8208   42.71   13.642
18*      -90.167   1.914                    13.209
19        16.091   2.117   1.4875   70.44   11.003
20       -61.515   0.010   1.5140   42.83   10.344
21       -61.515   0.500   2.0007   25.46   10.337
22        10.985   d3                        9.519
23*       10.298   3.432   1.4971   81.56   10.478
24*      -26.983   0.762                    10.060
25       -26.618   0.500   1.9108   35.25    9.910
26        20.496   3.430   1.5814   40.89    9.970
27       -10.770   d4                       10.320
28         INF     1.000   1.5488   66.93    7.577
29         INF     1.000                     7.325
30         INF     0.000                     6.931
【０１３５】
実施例８のレンズ面の非球面係数を以下の表３０に示す。
〔表３０〕
第10面
K=0.000000E+00, A4=3.577890E-05, A6=1.085428E-06, 
A8=-6.203227E-08, A10=7.618093E-10, A12=-2.903626E-12
第11面
K=0.000000E+00, A4=-8.629991E-05, A6=2.534240E-06, 
A8=-1.945751E-07, A10=3.223578E-09, A12=-1.286783E-10
第17面
K=0.000000E+00, A4=-2.583635E-05, A6=-7.136637E-08, 
A8=0.000000E+00, A10=0.000000E+00, A12=0.000000E+00
第18面
K=0.000000E+00, A4=1.715342E-05, A6=2.211524E-08, 
A8=0.000000E+00, A10=0.000000E+00, A12=0.000000E+00
第23面
K=0.000000E+00, A4=-3.357418E-05, A6=2.567671E-06, 
A8=0.000000E+00, A10=0.000000E+00, A12=0.000000E+00
第24面
K=0.000000E+00, A4=3.328300E-04, A6=3.793650E-06, 
A8=0.000000E+00, A10=0.000000E+00, A12=0.000000E+00
【０１３６】
実施例８のズームレンズのポジション（広角端、中間、及び望遠端）のうち、各ポジションにおける全系の焦点距離、Ｆ値、最大画角、間隔、入射瞳位置、及び射出瞳位置を以下の表３１に示す。
〔表３１〕
Wide       Middle     Tele
焦点距離        5.05      29.95     144.39
Fno             1.64       4.11       4.55
最大画角       66.69      12.75       2.70
d1              0.500     22.433     31.325
d2             31.325      9.392      0.500
d3              8.413      2.498     16.064
d4              9.809     15.724      2.158
入射瞳位置     26.22     145.48     471.63
射出瞳位置  -8351.75     -44.41      40.54
【０１３７】
実施例８の単レンズ群データを以下の表３２に示す。
〔表３２〕
群焦点距離
第1レンズ群   46.996
第2レンズ群   -7.685
第3レンズ群   33.056
第4レンズ群   15.440
【０１３８】
図１６Ａ〜１６Ｃは、ズームレンズ１０Ｈの断面図であり、実施例８のズームレンズ１０Ｈのズーム動作の際のポジションをそれぞれ示している。すなわち、図１６Ａは、ズームレンズ１０Ｈの広角端における断面図である。図１６Ｂは、中間における断面図である。図１６Ｃは、望遠端における断面図である。
【０１３９】
実施例８のズームレンズ１０Ｈは、物体側より順に、正の屈折力を有する第１レンズ群Ｇｒ１と、負の屈折力を有する第２レンズ群Ｇｒ２と、正の屈折力を有する第３レンズ群Ｇｒ３と、正の屈折力を有する第４レンズ群Ｇｒ４とからなる。
【０１４０】
第１レンズ群Ｇｒ１は、第１Ａ〜第５ＡレンズＬ１Ａ〜Ｌ５Ａを有し、第２Ａ、第４Ａ、及び第５ＡレンズＬ２Ａ，Ｌ４Ａ，Ｌ５Ａが正レンズとなっている。第２Ａ、第４、及び第５ＡレンズＬ２Ａ，ＬＡ４，Ｌ５Ａは、物体側凸のメニスカス形状を有している。第２レンズ群Ｇｒ２は、第１Ｂ〜第３ＢレンズＬ１Ｂ〜Ｌ３Ｂを有し、第１ＢレンズＬ１Ｂが負レンズであり、第２ＢレンズＬ２Ｂが負レンズであり、第３ＢレンズＬ３Ｂが正レンズとなっている。また、第１ＢレンズＬ１Ｂは、非球面形状を有している。第２ＢレンズＬ２Ｂは、物体側凹となる面形状を有している。第３レンズ群Ｇｒ３は、第１Ｃ〜第３ＣレンズＬ１Ｃ〜Ｌ３Ｃを有し、第１ＣレンズＬ１Ｃが正レンズであり、第２ＣレンズＬ２Ｃが正レンズであり、第３ＣレンズＬ３Ｃが負レンズとなっている。また、第１ＣレンズＬ１Ｃは、非球面形状を有している。なお、第３レンズ群Ｇｒ３において、第２ＣレンズＬ２Ｃと第３ＣレンズＬ３Ｃとは、接着剤を介して接合されている。第４レンズ群Ｇｒ４は、第１Ｄ〜第３ＤレンズＬ１Ｄ〜Ｌ３Ｄを有し、第１ＤレンズＬ１Ｄが正レンズであり、第２ＤレンズＬ２Ｄが負レンズであり、第３ＤレンズＬ３Ｄが正レンズとなっている。また、第１ＤレンズＬ１Ｄは、非球面形状を有している。第１〜第５レンズ群Ｇｒ１〜Ｇｒ５を構成するレンズは、ガラス材料で形成されている。
【０１４１】
第２レンズ群Ｇｒ２と第３レンズ群Ｇｒ３との間には、開口絞りＳＴが配置されている。ズームレンズ１０Ｃにおいて、第２及び第４レンズ群Ｇｒ２，Ｇｒ４が光軸ＡＸ方向に沿って可動となっている。開口絞りＳＴは、変倍時において像面又は撮像面Ｉに対して固定されている。第３ＤレンズＬ３Ｄと撮像素子５１との間には、適当な厚さの固定フィルターＦが配置されている。
【０１４２】
図１７Ａ〜１７Ｃは、ズームレンズ１０Ｈの広角端における無限遠合焦時の収差図（球面収差、非点収  差、及び歪曲収差）である。図１７Ｄ〜１７Ｆは、中間における無限遠合焦時の収差図（球面収差、非点収差、及び歪曲収差）である。図１７Ｇ〜１７Ｉは、望遠端における無限遠合焦時の収差図（球面収差、非点収差、及び歪曲収差）である。
【０１４３】
以下の表３３は、参考のため、各条件式（１）〜（１２）に対応する各実施例１〜８の値をまとめたものである。
〔表３３〕
2018225842.tif 000004
【０１４４】
以上、実施形態に係るズームレンズについて説明したが、本発明に係るズームレンズは上記実施形態に限るものではない。例えば、ズームレンズ１０又はこれを構成する各群Ｇｒ１〜Ｇｒ４は、実質的に屈折力又はパワーを有しないその他の光学素子（例えばレンズ）をさらに有するものであってもよい。
【０１４５】
また、上記実施例において、各レンズの材料は例示であり、これに限定されるものではなく、適宜変更することができる。
【図１】
2018225842.tif 000005
【図２】
2018225842.tif 000006
【図３】
2018225842.tif 000007
【図４】
2018225842.tif 000008
【図５】
2018225842.tif 000009
【図６】
2018225842.tif 000010
【図７】
2018225842.tif 000011
【図８】
2018225842.tif 000012
【図９】
2018225842.tif 000013
【図１０】
2018225842.tif 000014
【図１１】
2018225842.tif 000015
【図１２】
2018225842.tif 000016
【図１３】
2018225842.tif 000017
【図１４】
2018225842.tif 000018
【図１５】
2018225842.tif 000019
【図１６】
2018225842.tif 000020
【図１７】
2018225842.tif 000021
【国際調査報告】
2018225842.tif 000022
2018225842.tif 000023
2018225842.tif 000024
2018225842.tif 000025